(57)【特許請求の範囲】
【請求項１】
ワイヤレス通信の方法であって、
第1のデバイスによって、ワイヤレスチャネルの状態を測定するステップと、
前記ワイヤレスチャネルの前記測定した状態に基づいてパラメータのセットの関係についての情報を提供する、少なくとも1つのチャネルサイド情報フィードバックメッセージを生成するステップであって、パラメータの前記セットが、データレートパラメータと、誤り確率パラメータと、期限パラメータまたは送信リンクパラメータの少なくとも1つとを備え、パラメータの前記セットの少なくとも第1のパラメータが前記第1のデバイスに入力され、パラメータの前記セットの少なくとも第2のパラメータが少なくとも前記第1のパラメータのもとでの前記ワイヤレスチャネル上での観測に基づいて出力される、ステップと、
前記少なくとも1つのチャネルサイド情報フィードバックメッセージを第2のデバイスに送信するステップであって、前記少なくとも1つのチャネルサイド情報フィードバックメッセージが少なくとも前記第1のパラメータおよび少なくとも前記第2のパラメータを備える、ステップとを備える、方法。
【請求項２】
前記少なくとも1つのチャネルサイド情報フィードバックメッセージを生成するステップが、
パラメータの前記セットの第1のサブセット中の各パラメータの値を、パラメータの前記セットの残りのサブセット中の各パラメータの所与の値に基づいて、推定するステップを備える、請求項1に記載の方法。
【請求項３】
前記残りのサブセットの少なくとも1つのパラメータの前記所与の値を、前記ワイヤレスチャネルを通じて受信するステップをさらに備える、請求項2に記載の方法。
【請求項４】
前記残りのサブセットの少なくとも1つのパラメータの前記所与の値を、前記第1のデバイスによって決定するステップをさらに備える、請求項2に記載の方法。
【請求項５】
前記少なくとも1つのチャネルサイド情報フィードバックメッセージが、前記第1のサブセットの少なくとも1つのパラメータの推定された値を備える、請求項2に記載の方法。
【請求項６】
前記第1のサブセットが、前記データレートパラメータを備え、前記残りのサブセットが、前記誤り確率パラメータと、前記期限パラメータと、前記送信リンクパラメータとを備える、請求項2に記載の方法。
【請求項７】
前記第1のサブセットが、前記誤り確率パラメータを備え、前記残りのサブセットが、前記データレートパラメータと、前記期限パラメータと、前記送信リンクパラメータとを備える、請求項2に記載の方法。
【請求項８】
前記第1のサブセットが、前記期限パラメータを備え、前記残りのサブセットが、前記誤り確率パラメータと、前記データレートパラメータと、前記送信リンクパラメータとを備える、請求項2に記載の方法。
【請求項９】
前記第1のサブセットが、前記送信リンクパラメータを備え、前記残りのサブセットが、前記誤り確率パラメータと、前記期限パラメータと、前記データレートパラメータとを備える、請求項2に記載の方法。
【請求項１０】
前記第1のサブセットが、前記データレートパラメータと前記送信リンクパラメータとを備え、前記残りのサブセットが、前記誤り確率パラメータと前記期限パラメータとを備える、請求項2に記載の方法。
【請求項１１】
前記第1のサブセットが、前記データレートパラメータと、前記期限パラメータと、前記送信リンクパラメータとを備え、前記残りのサブセットが、前記誤り確率パラメータを備える、請求項2に記載の方法。
【請求項１２】
前記残りのサブセットが、前記期限パラメータを備え、前記第1のサブセットの少なくとも1つのパラメータの値が、前記期限パラメータの複数の異なる所与の値に対して推定される、請求項2に記載の方法。
【請求項１３】
前記第1のサブセットが、前記誤り確率パラメータを備え、前記誤り確率パラメータの前記値が、複数の異なる無線リンクに基づいて推定される、請求項2に記載の方法。
【請求項１４】
前記複数の異なる無線リンクを、すべての可能性のある無線リンクのうちのサブセットとして選択するステップをさらに備える、請求項13に記載の方法。
【請求項１５】
前記誤り確率パラメータが、前記複数の異なる無線リンクを通じた同時の送信に基づく、請求項13に記載の方法。
【請求項１６】
前記期限パラメータが、信号の信号再送信と関連付けられるレイテンシに対応する、請求項1に記載の方法。
【請求項１７】
ワイヤレス通信のためのデバイスであって、
ワイヤレスチャネルの状態を測定するための手段と、
前記ワイヤレスチャネルの前記測定した状態に基づいてパラメータのセットの関係についての情報を提供する、少なくとも1つのチャネルサイド情報フィードバックメッセージを生成するための手段であって、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータのもとでの前記ワイヤレスチャネル上での観測に基づいて出力される、手段と、
前記少なくとも1つのチャネルサイド情報フィードバックメッセージを別のデバイスに送信するための手段であって、前記少なくとも1つのチャネルサイド情報フィードバックメッセージが少なくとも前記第1のパラメータおよび少なくとも前記第2のパラメータを備える、手段とを備える、デバイス。
【請求項１８】
前記少なくとも1つのチャネルサイド情報フィードバックメッセージを生成するための前記手段が、
パラメータの前記セットの第1のサブセット中の各パラメータの値を、パラメータの前記セットの残りのサブセット中の各パラメータの所与の値に基づいて、推定するための手段を備える、請求項17に記載のデバイス。
【請求項１９】
前記残りのサブセットの少なくとも1つのパラメータの前記所与の値を、前記ワイヤレスチャネルを通じて受信するための手段をさらに備える、請求項18に記載のデバイス。
【請求項２０】
前記残りのサブセットの少なくとも1つのパラメータの前記所与の値を決定するための手段をさらに備える、請求項18に記載のデバイス。
【請求項２１】
前記少なくとも1つのチャネルサイド情報フィードバックメッセージが、前記第1のサブセットの少なくとも1つのパラメータの推定された値を備える、請求項18に記載のデバイス。
【請求項２２】
前記第1のサブセットが、前記データレートパラメータを備え、前記残りのサブセットが、前記誤り確率パラメータと、前記期限パラメータと、前記送信リンクパラメータとを備える、請求項18に記載のデバイス。
【請求項２３】
前記第1のサブセットが、前記誤り確率パラメータを備え、前記残りのサブセットが、前記データレートパラメータと、前記期限パラメータと、前記送信リンクパラメータとを備える、請求項18に記載のデバイス。
【請求項２４】
前記第1のサブセットが、前記期限パラメータを備え、前記残りのサブセットが、前記誤り確率パラメータと、前記データレートパラメータと、前記送信リンクパラメータとを備える、請求項18に記載のデバイス。
【請求項２５】
前記第1のサブセットが、前記送信リンクパラメータを備え、前記残りのサブセットが、前記誤り確率パラメータと、前記期限パラメータと、前記データレートパラメータとを備える、請求項18に記載のデバイス。
【請求項２６】
前記第1のサブセットが、前記データレートパラメータと前記送信リンクパラメータとを備え、前記残りのサブセットが、前記誤り確率パラメータと前記期限パラメータとを備える、請求項18に記載のデバイス。
【請求項２７】
前記第1のサブセットが、前記データレートパラメータと、前記期限パラメータと、前記送信リンクパラメータとを備え、前記残りのサブセットが、前記誤り確率パラメータを備える、請求項18に記載のデバイス。
【請求項２８】
前記残りのサブセットが、前記期限パラメータを備え、前記第1のサブセットの少なくとも1つのパラメータの値が、前記期限パラメータの複数の異なる所与の値に対して推定される、請求項18に記載のデバイス。
【請求項２９】
前記第1のサブセットが、前記誤り確率パラメータを備え、前記誤り確率パラメータの前記値が、複数の異なる無線リンクに基づいて推定される、請求項18に記載のデバイス。
【請求項３０】
前記複数の異なる無線リンクを、すべての可能性のある無線リンクのうちのサブセットとして選択するための手段をさらに備える、請求項29に記載のデバイス。
【請求項３１】
前記誤り確率パラメータが、前記複数の異なる無線リンクを通じた同時の送信に基づく、請求項29に記載のデバイス。
【請求項３２】
前記期限パラメータが、信号の信号再送信と関連付けられるレイテンシに対応する、請求項17に記載のデバイス。
【請求項３３】
プロセッサと、前記プロセッサと電子的に通信しているメモリと、前記メモリに記憶された命令とを備える、ワイヤレス通信のためのデバイスであって、前記命令が、
ワイヤレスチャネルの状態を測定し、
前記ワイヤレスチャネルの前記測定した状態に基づいてパラメータのセットの関係についての情報を提供する、少なくとも1つのチャネルサイド情報フィードバックメッセージを生成し、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータのもとでの前記ワイヤレスチャネル上での観測に基づいて出力され、
前記少なくとも1つのチャネルサイド情報フィードバックメッセージを別のデバイスに送信し、前記少なくとも1つのチャネルサイド情報フィードバックメッセージが少なくとも前記第1のパラメータおよび少なくとも前記第2のパラメータを備える、ように前記プロセッサによって実行可能である、デバイス。
【請求項３４】
前記少なくとも1つのチャネルサイド情報フィードバックメッセージを生成するように前記プロセッサによって実行可能な前記命令が、
パラメータの前記セットの第1のサブセット中の各パラメータの値を、パラメータの前記セットの残りのサブセット中の各パラメータの所与の値に基づいて、推定するように、前記プロセッサによって実行可能な命令を備える、請求項33に記載のデバイス。
【請求項３５】
前記命令が、
前記残りのサブセットの少なくとも1つのパラメータの前記所与の値を、前記ワイヤレスチャネルを通じて受信するように、前記プロセッサによって実行可能である、請求項34に記載のデバイス。
【請求項３６】
前記命令が、
前記残りのサブセットの少なくとも1つのパラメータの前記所与の値を決定するように、前記プロセッサによって実行可能である、請求項34に記載のデバイス。
【請求項３７】
前記少なくとも1つのチャネルサイド情報フィードバックメッセージが、前記第1のサブセットの少なくとも1つのパラメータの推定された値を備える、請求項34に記載のデバイス。
【請求項３８】
前記第1のサブセットが、前記データレートパラメータを備え、前記残りのサブセットが、前記誤り確率パラメータと、前記期限パラメータと、前記送信リンクパラメータとを備える、請求項34に記載のデバイス。
【請求項３９】
前記第1のサブセットが、前記データレートパラメータと前記送信リンクパラメータとを備え、前記残りのサブセットが、前記誤り確率パラメータと前記期限パラメータとを備える、請求項34に記載のデバイス。
【請求項４０】
前記期限パラメータが、信号の信号再送信と関連付けられるレイテンシに対応する、請求項33に記載のデバイス。
【請求項４１】
命令を記憶するワイヤレス通信のためのコンピュータ可読記憶媒体であって、前記命令が、デバイスに、
ワイヤレスチャネルの状態を測定させ、
前記ワイヤレスチャネルの前記測定した状態に基づいてパラメータのセットの関係についての情報を提供する、少なくとも1つのチャネルサイド情報フィードバックメッセージを生成させ、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータのもとでの前記ワイヤレスチャネル上での観測に基づいて出力され、
前記少なくとも1つのチャネルサイド情報フィードバックメッセージを別のデバイスへ送信させるようにプロセッサによって実行可能であり、前記少なくとも1つのチャネルサイド情報フィードバックメッセージが少なくとも前記第1のパラメータおよび少なくとも前記第2のパラメータを備える、コンピュータ可読記憶媒体。
【請求項４２】
前記デバイスに、前記少なくとも1つのチャネルサイド情報フィードバックメッセージを生成させるように前記プロセッサによって実行可能な前記命令が、前記デバイスに、
パラメータの前記セットの第1のサブセット中の各パラメータの値を、パラメータの前記セットの残りのサブセット中の各パラメータの所与の値に基づいて、推定させるように、前記プロセッサによって実行可能な命令を備える、請求項41に記載のコンピュータ可読記憶媒体。
【請求項４３】
前記命令が、前記デバイスに、
前記残りのサブセットの少なくとも1つのパラメータの前記所与の値を、前記ワイヤレスチャネルを通じて受信させるように、前記プロセッサによって実行可能である、請求項42に記載のコンピュータ可読記憶媒体。
【請求項４４】
ワイヤレス通信の方法であって、
ワイヤレスチャネルを通じてワイヤレス信号をデバイスに送信するステップと、
前記ワイヤレスチャネルの測定した状態に基づいてパラメータのセットの関係についての情報を提供する、少なくとも1つのチャネルサイド情報フィードバックメッセージを前記デバイスから受信するステップとを備え、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータのもとでの前記ワイヤレスチャネル上での観測に基づいて出力され、前記少なくとも1つのチャネルサイド情報フィードバックメッセージが少なくとも前記第1のパラメータおよび少なくとも前記第2のパラメータを備える、方法。
【請求項４５】
前記少なくとも1つのチャネルサイド情報フィードバックメッセージが、パラメータの前記セットの第1のサブセット中の各パラメータの推定された値を備え、パラメータの前記セットの前記第1のサブセット中の各パラメータの前記推定された値が、パラメータの前記セットの残りのサブセット中の各パラメータの所与の値に基づく、請求項44に記載の方法。
【請求項４６】
前記第1のサブセットまたは前記残りのサブセットの少なくとも1つを示すものを前記デバイスに送信するステップをさらに備える、請求項45に記載の方法。
【請求項４７】
前記残りのサブセットの少なくとも1つのパラメータの前記所与の値を前記デバイスに送信するステップをさらに備える、請求項45に記載の方法。
【請求項４８】
前記少なくとも1つのチャネルサイド情報フィードバックメッセージが、前記第1のサブセットの少なくとも1つのパラメータの推定された値を備える、請求項45に記載の方法。
【請求項４９】
前記第1のサブセットが、前記データレートパラメータを備え、前記残りのサブセットが、前記誤り確率パラメータと、前記期限パラメータと、前記送信リンクパラメータとを備える、請求項45に記載の方法。
【請求項５０】
前記第1のサブセットが、前記誤り確率パラメータを備え、前記残りのサブセットが、前記データレートパラメータと、前記期限パラメータと、前記送信リンクパラメータとを備える、請求項45に記載の方法。
【請求項５１】
前記第1のサブセットが、前記期限パラメータを備え、前記残りのサブセットが、前記誤り確率パラメータと、前記データレートパラメータと、前記送信リンクパラメータとを備える、請求項45に記載の方法。
【請求項５２】
前記第1のサブセットが、前記送信リンクパラメータを備え、前記残りのサブセットが、前記誤り確率パラメータと、前記期限パラメータと、前記データレートパラメータとを備える、請求項45に記載の方法。
【請求項５３】
前記第1のサブセットが、前記データレートパラメータと前記送信リンクパラメータとを備え、前記残りのサブセットが、前記誤り確率パラメータと前記期限パラメータとを備える、請求項45に記載の方法。
【請求項５４】
前記第1のサブセットが、前記データレートパラメータと、前記期限パラメータと、前記送信リンクパラメータとを備え、前記残りのサブセットが、前記誤り確率パラメータを備える、請求項45に記載の方法。
【請求項５５】
前記残りのサブセットが、前記期限パラメータを備え、前記第1のサブセットの少なくとも1つのパラメータの値が、前記期限パラメータの複数の異なる所与の値に対して推定される、請求項45に記載の方法。
【請求項５６】
前記第1のサブセットが、前記誤り確率パラメータを備え、前記誤り確率パラメータの値が、複数の異なる無線リンクに基づいて推定される、請求項45に記載の方法。
【請求項５７】
前記複数の異なる無線リンクが、すべての可能性のある無線リンクのうちのサブセットである、請求項56に記載の方法。
【請求項５８】
前記誤り確率パラメータが、前記複数の異なる無線リンクを通じた同時の送信に基づく、請求項56に記載の方法。
【請求項５９】
前記期限パラメータが、信号の信号再送信と関連付けられるレイテンシに対応する、請求項44に記載の方法。
【請求項６０】
ワイヤレス通信のためのデバイスであって、
ワイヤレスチャネルを通じてワイヤレス信号を別のデバイスに送信するための手段と、
前記ワイヤレスチャネルの測定した状態に基づいてパラメータのセットの関係についての情報を提供する、少なくとも1つのチャネルサイド情報フィードバックメッセージを他のデバイスから受信するための手段とを備え、パラメータの前記セットが、データレートパラメータと、誤り確率パラメータと、期限パラメータまたは送信リンクパラメータの少なくとも1つとを備え、パラメータの前記セットの少なくとも第1のパラメータが前記他のデバイスに入力され、パラメータの前記セットの少なくとも第2のパラメータが少なくとも前記第1のパラメータのもとでの前記ワイヤレスチャネル上での観測に基づいて出力され、前記少なくとも1つのチャネルサイド情報フィードバックメッセージが少なくとも前記第1のパラメータおよび少なくとも前記第2のパラメータを備える、デバイス。
【請求項６１】
前記少なくとも1つのチャネルサイド情報フィードバックメッセージが、パラメータの前記セットの第1のサブセット中の各パラメータの推定された値を備え、パラメータの前記セットの前記第1のサブセット中の各パラメータの前記推定された値が、パラメータの前記セットの残りのサブセット中の各パラメータの所与の値に基づく、請求項60に記載のデバイス。
【請求項６２】
前記第1のサブセットまたは前記残りのサブセットの少なくとも1つを示すものを前記他のデバイスに送信するための手段をさらに備える、請求項61に記載のデバイス。
【請求項６３】
前記残りのサブセットの少なくとも1つのパラメータの前記所与の値を前記他のデバイスに送信するための手段をさらに備える、請求項61に記載のデバイス。
【請求項６４】
前記少なくとも1つのチャネルサイド情報フィードバックメッセージが、前記第1のサブセットの少なくとも1つのパラメータの推定された値を備える、請求項61に記載のデバイス。
【請求項６５】
前記第1のサブセットが、前記データレートパラメータを備え、前記残りのサブセットが、前記誤り確率パラメータと、前記期限パラメータと、前記送信リンクパラメータとを備える、請求項61に記載のデバイス。
【請求項６６】
前記第1のサブセットが、前記誤り確率パラメータを備え、前記残りのサブセットが、前記データレートパラメータと、前記期限パラメータと、前記送信リンクパラメータとを備える、請求項61に記載のデバイス。
【請求項６７】
前記第1のサブセットが、前記期限パラメータを備え、前記残りのサブセットが、前記誤り確率パラメータと、前記データレートパラメータと、前記送信リンクパラメータとを備える、請求項61に記載のデバイス。
【請求項６８】
前記第1のサブセットが、前記送信リンクパラメータを備え、前記残りのサブセットが、前記誤り確率パラメータと、前記期限パラメータと、前記データレートパラメータとを備える、請求項61に記載のデバイス。
【請求項６９】
前記第1のサブセットが、前記データレートパラメータと前記送信リンクパラメータとを備え、前記残りのサブセットが、前記誤り確率パラメータと前記期限パラメータとを備える、請求項61に記載のデバイス。
【請求項７０】
前記第1のサブセットが、前記データレートパラメータと、前記期限パラメータと、前記送信リンクパラメータとを備え、前記残りのサブセットが、前記誤り確率パラメータを備える、請求項61に記載のデバイス。
【請求項７１】
前記残りのサブセットが、前記期限パラメータを備え、前記第1のサブセットの少なくとも1つのパラメータの値が、前記期限パラメータの複数の異なる所与の値に対して推定される、請求項61に記載のデバイス。
【請求項７２】
前記第1のサブセットが、前記誤り確率パラメータを備え、前記誤り確率パラメータの値が、複数の異なる無線リンクに基づいて推定される、請求項61に記載のデバイス。
【請求項７３】
前記複数の異なる無線リンクが、すべての可能性のある無線リンクのうちのサブセットである、請求項72に記載のデバイス。
【請求項７４】
前記誤り確率パラメータが、前記複数の異なる無線リンクを通じた同時の送信に基づく、請求項72に記載のデバイス。
【請求項７５】
前記期限パラメータが、信号の信号再送信と関連付けられるレイテンシに対応する、請求項60に記載のデバイス。
【請求項７６】
プロセッサと、前記プロセッサと電子的に通信しているメモリと、前記メモリに記憶された命令とを備える、ワイヤレス通信のためのデバイスであって、前記命令が、
ワイヤレスチャネルを通じてワイヤレス信号を別のデバイスに送信し、
前記ワイヤレスチャネルの測定した状態に基づいてパラメータのセットの関係についての情報を提供する、少なくとも1つのチャネルサイド情報フィードバックメッセージを他のデバイスから受信するように、前記プロセッサによって実行可能であり、パラメータの前記セットが、データレートパラメータと、誤り確率パラメータと、期限パラメータまたは送信リンクパラメータの少なくとも1つとを備え、パラメータの前記セットの少なくとも第1のパラメータが前記他のデバイスに入力され、パラメータの前記セットの少なくとも第2のパラメータが少なくとも前記第1のパラメータのもとでの前記ワイヤレスチャネル上での観測に基づいて出力され、前記少なくとも1つのチャネルサイド情報フィードバックメッセージが少なくとも前記第1のパラメータおよび少なくとも前記第2のパラメータを備える、デバイス。
【請求項７７】
前記少なくとも1つのチャネルサイド情報フィードバックメッセージが、パラメータの前記セットの第1のサブセット中の各パラメータの推定された値を備え、パラメータの前記セットの前記第1のサブセット中の各パラメータの前記推定された値が、パラメータの前記セットの残りのサブセット中の各パラメータの所与の値に基づく、請求項76に記載のデバイス。
【請求項７８】
前記命令が、
前記第1のサブセットまたは前記残りのサブセットの少なくとも1つを示すものを前記他のデバイスに送信するように、前記プロセッサによって実行可能である、請求項77に記載のデバイス。
【請求項７９】
前記命令が、
前記残りのサブセットの少なくとも1つのパラメータの前記所与の値を前記他のデバイスに送信するように、前記プロセッサによって実行可能である、請求項77に記載のデバイス。
【請求項８０】
前記少なくとも1つのチャネルサイド情報フィードバックメッセージが、前記第1のサブセットの少なくとも1つのパラメータの推定された値を備える、請求項77に記載のデバイス。
【請求項８１】
前記第1のサブセットが、前記データレートパラメータを備え、前記残りのサブセットが、前記誤り確率パラメータと、前記期限パラメータと、前記送信リンクパラメータとを備える、請求項77に記載のデバイス。
【請求項８２】
前記第1のサブセットが、前記データレートパラメータと前記送信リンクパラメータとを備え、前記残りのサブセットが、前記誤り確率パラメータと前記期限パラメータとを備える、請求項77に記載のデバイス。
【請求項８３】
前記期限パラメータが、信号の信号再送信と関連付けられるレイテンシに対応する、請求項76に記載のデバイス。
【請求項８４】
命令を記憶するワイヤレス通信のためのコンピュータ可読記憶媒体であって、前記命令が、デバイスに、
ワイヤレスチャネルを通じてワイヤレス信号を別のデバイスへ送信させ、
前記ワイヤレスチャネルの測定した状態に基づいてパラメータのセットの関係についての情報を提供する、少なくとも1つのチャネルサイド情報フィードバックメッセージを他のデバイスから受信させるように、プロセッサによって実行可能であり、パラメータの前記セットが、データレートパラメータと、誤り確率パラメータと、期限パラメータまたは送信リンクパラメータの少なくとも1つとを備え、パラメータの前記セットの少なくとも第1のパラメータが前記他のデバイスに入力され、パラメータの前記セットの少なくとも第2のパラメータが少なくとも前記第1のパラメータのもとでの前記ワイヤレスチャネル上での観測に基づいて出力され、前記少なくとも1つのチャネルサイド情報フィードバックメッセージが少なくとも前記第1のパラメータおよび少なくとも前記第2のパラメータを備える、コンピュータ可読記憶媒体。
【請求項８５】
前記少なくとも1つのチャネルサイド情報フィードバックメッセージが、パラメータの前記セットの第1のサブセット中の各パラメータの推定された値を備え、パラメータの前記セットの前記第1のサブセット中の各パラメータの前記推定された値が、パラメータの前記セットの残りのサブセット中の各パラメータの所与の値に基づく、請求項84に記載のコンピュータ可読記憶媒体。
【請求項８６】
前記命令が、
前記第1のサブセットまたは前記残りのサブセットの少なくとも1つを示すものを前記デバイスに送信するように、前記プロセッサによって実行可能である、請求項85に記載のコンピュータ可読記憶媒体。
【請求項８７】
前記命令が、前記デバイスに、
前記残りのサブセットの少なくとも1つのパラメータの前記所与の値を前記他のデバイスへ送信させるように、前記プロセッサによって実行可能である、請求項85に記載のコンピュータ可読記憶媒体。
【発明の詳細な説明】
【技術分野】
【０００１】
相互参照
本特許出願は、各々が本出願の譲受人に譲渡された、2014年12月11日に出願された、「Ultra Reliable Link Design」という、Ji他による米国特許出願第14/567,887号、および2014年7月22日に出願された、「Ultra Reliable Link Design」と題する、Ji他らによる米国仮特許出願第62/027,623号の優先権を主張する。
【０００２】
本開示の態様はワイヤレス通信に関し、より具体的には、改善されたチャネルサイド情報フィードバック(CSF:channel side information feedback)報告に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることができる多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。
【０００４】
例として、ワイヤレス多元接続通信システムは、各々が複数のユーザ機器(UE)のための通信を同時にサポートする、いくつかの基地局を含み得る。基地局は、ダウンリンクチャネル(たとえば、基地局からUEへの送信のための)およびアップリンクチャネル(たとえば、UEから基地局への送信のための)の上でUEと通信し得る。受信デバイスおよび送信デバイスがあるチャネルを通じて通信しているとき、所与の送信が失われる(たとえば、受信デバイスによって受信されない、または適切に復号されない)ある確率(誤り確率)がある。
【０００５】
いくつかの通信システムでは、受信デバイスは、チャネルサイド情報フィードバック(CSF)報告を送信デバイスに提供し得る。この報告は、定められた誤り確率(たとえば、特定の時間に行われる単一の送信については10%)のもとでの、ワイヤレスチャネル上で観測されるデータレート(たとえば、持続的なデータレートまたは持続的なペイロードサイズなどの、持続的な能力)を示し得る。
【発明の概要】
【発明が解決しようとする課題】
【０００６】
CSF報告を受信すると、送信デバイスは、CSF報告に含まれているデータレートパラメータの値を、定められた誤り確率を送信デバイスが維持することを可能にする変調およびコーディング方式(MCS:modulation and coding scheme)と対応付けることができる。残念ながら、現在のCSF報告は、いくつかのミッションクリティカルなサービス(たとえば、医療サービス、産業用のサービス、および/または軍事サービス)に対して十分安定していないことがある。
【課題を解決するための手段】
【０００７】
本開示は、たとえば、CSF報告を改善するための1つまたは複数の技法に関する。本技法は、効率性を犠牲にすることなく、光ファイバーのようなリンクの信頼性とともにワイヤレス送信リンクが動作することを可能にし得る。本技法の1つのセットでは、CSF報告は、誤り確率以外のパラメータに対して条件付けられてよく、および/または複数のパラメータに対して条件付けられてよい。また、データレート以外のパラメータの値がCSF報告において報告されてよく、および/または、複数のパラメータの値がCSF報告において報告されてよい。さらに、異なるパラメータ値またはパラメータ値の組合せが、1つまたは複数の他のパラメータの複数の所与の値に基づいて報告され得る。本技法の別のセットでは、ワイヤレスチャネル上での干渉を測定することができ、干渉の原因の干渉デバイスを特定することができ、CSF報告が、干渉デバイスを示すものと、干渉デバイスからの干渉と時間および/または周波数との相関とを含むように、修正され得る。本技法のさらに別のセットでは、CSF報告は、1つまたは複数のCSFパラメータ(たとえば、データレートパラメータ)と時間および/または周波数との相関を示すように修正され得る。
【０００８】
説明のための例の第1のセットにおいて、ワイヤレス通信のための方法が説明される。一構成では、方法は、第1のデバイスによって、ワイヤレスチャネルの状態を測定するステップと、ワイヤレスチャネルの測定した状態に基づいて、少なくとも1つのチャネルサイド情報フィードバックメッセージを生成するステップであって、少なくとも1つのチャネルサイド情報フィードバックメッセージがパラメータのセットの関係についての情報を提供する、ステップと、少なくとも1つのチャネルサイド情報フィードバックメッセージを第2のデバイスに送信するステップとを含み得る。パラメータのセットは、データレートパラメータと、誤り確率パラメータと、期限パラメータまたは送信リンクパラメータの少なくとも1つとを含んでよく、パラメータのセットの少なくとも第1のパラメータは第1のデバイスに入力され、パラメータのセットの少なくとも第2のパラメータは少なくとも第1のパラメータに対して条件付けられて出力される。第2のデバイスに送信される少なくとも1つのチャネルサイド情報フィードバックメッセージは、少なくとも第2のパラメータを含み得る。
【０００９】
方法のいくつかの例では、少なくとも1つのチャネルサイド情報フィードバックメッセージを生成するステップは、パラメータのセットの残りのサブセット中の各パラメータの所与の値に基づいて、パラメータのセットの第1のサブセット中の各パラメータの値を推定するステップを含み得る。これらの例では、方法は、残りのサブセットの少なくとも1つのパラメータの所与の値を、ワイヤレスチャネルを通じて受信するステップを含み得る。方法は、さらに、または代替的に、残りのサブセットの少なくとも1つのパラメータの所与の値を、第1のデバイスによって決定するステップを含み得る。いくつかの例では、少なくとも1つのチャネルサイド情報フィードバックメッセージは、第1のサブセットの少なくとも1つのパラメータの推定された値を含み得る。
【００１０】
方法のいくつかの例では、第1のサブセットは、データレートパラメータを含んでよく、残りのサブセットは、誤り確率パラメータと、期限パラメータと、送信リンクパラメータとを含んでよい。いくつかの例では、第1のサブセットは、誤り確率パラメータを含んでよく、残りのサブセットは、データレートパラメータと、期限パラメータと、送信リンクパラメータとを含んでよい。いくつかの例では、第1のサブセットは、期限パラメータを含んでよく、残りのサブセットは、誤り確率パラメータと、データレートパラメータと、送信リンクパラメータとを含んでよい。いくつかの例では、第1のサブセットは、送信リンクパラメータを含んでよく、残りのサブセットは、誤り確率パラメータと、期限パラメータと、データレートパラメータとを含んでよい。いくつかの例では、第1のサブセットは、データレートパラメータと送信リンクパラメータとを含んでよく、残りのサブセットは、誤り確率パラメータと期限パラメータとを含んでよい。いくつかの例では、第1のサブセットは、データレートパラメータと、期限パラメータと、送信リンクパラメータとを含んでよく、残りのサブセットは、誤り確率パラメータを含んでよい。いくつかの例では、残りのサブセットは、期限パラメータを含んでよく、第1のサブセットの少なくとも1つのパラメータの値は、期限パラメータの複数の異なる所与の値に対して推定されてよい。
【００１１】
方法のいくつかの例では、第1のサブセットは、誤り確率パラメータを含んでよく、誤り確率パラメータの値は、複数の異なる無線リンクに基づいて推定されてよい。いくつかの例では、方法は、すべての可能性のある無線リンクのうちのサブセットとして、複数の異なる無線リンクを選択するステップを含み得る。いくつかの例では、誤り確率パラメータは、複数の異なる無線リンクを通じた同時の送信に基づき得る。
【００１２】
方法のいくつかの例では、期限パラメータは、信号の信号再送信と関連付けられるレイテンシに対応し得る。
【００１３】
説明のための例の第2のセットにおいて、ワイヤレス通信のためのデバイスが説明される。一構成では、デバイスは、ワイヤレスチャネルの状態を測定するための手段と、ワイヤレスチャネルの測定した状態に基づいて、少なくとも1つのチャネルサイド情報フィードバックメッセージを生成するための手段であって、少なくとも1つのチャネルサイド情報フィードバックメッセージがパラメータのセットの関係についての情報を提供する、手段と、少なくとも1つのチャネルサイド情報フィードバックメッセージを別のデバイスに送信するための手段とを含み得る。パラメータのセットは、データレートパラメータと、誤り確率パラメータと、期限パラメータまたは送信リンクパラメータの少なくとも1つとを含んでよく、パラメータのセットの少なくとも第1のパラメータはデバイスに入力され、パラメータのセットの少なくとも第2のパラメータは少なくとも第1のパラメータに対して条件付けられて出力される。別のデバイスに送信される少なくとも1つのチャネルサイド情報フィードバックメッセージは、少なくとも第2のパラメータを含み得る。いくつかの例では、この装置はさらに、説明のための例の第1のセットに関して上で説明されたワイヤレス通信のための方法の1つまたは複数の態様を実施するための手段を含み得る。
【００１４】
説明のための例の第3のセットにおいて、ワイヤレス通信のための別のデバイスが説明される。一構成では、このデバイスは、プロセッサと、プロセッサと電子的に通信しているメモリと、メモリに記憶された命令とを含み得る。命令は、ワイヤレスチャネルの状態を測定し、ワイヤレスチャネルの測定した状態に基づいて、少なくとも1つのチャネルサイド情報フィードバックメッセージを生成し、少なくとも1つのチャネルサイド情報フィードバックメッセージがパラメータのセットの関係についての情報を提供し、少なくとも1つのチャネルサイド情報フィードバックメッセージを別のデバイスに送信するように、プロセッサによって実行可能であり得る。パラメータのセットは、データレートパラメータと、誤り確率パラメータと、期限パラメータまたは送信リンクパラメータの少なくとも1つとを含んでよく、パラメータのセットの少なくとも第1のパラメータはデバイスに入力され、パラメータのセットの少なくとも第2のパラメータは少なくとも第1のパラメータに対して条件付けられて出力される。別のデバイスに送信される少なくとも1つのチャネルサイド情報フィードバックメッセージは、少なくとも第2のパラメータを含み得る。いくつかの例では、この命令はまた、説明のための例の第1のセットに関して上で説明されたワイヤレス通信のための方法の1つまたは複数の態様を実施するように、プロセッサによって実行可能であり得る。
【００１５】
説明のための例の第4のセットにおいて、ワイヤレス通信システムにおけるデバイスによる通信のためのコンピュータプログラム製品が説明される。一構成では、コンピュータプログラム製品は、デバイスに、ワイヤレスチャネルの状態を測定させ、ワイヤレスチャネルの測定した状態に基づいて、少なくとも1つのチャネルサイド情報フィードバックメッセージを生成させ、少なくとも1つのチャネルサイド情報フィードバックメッセージがパラメータのセットの関係についての情報を提供し、少なくとも1つのチャネルサイド情報フィードバックメッセージを別のデバイスへ送信させるように、プロセッサによって実行可能な命令を記憶した非一時的コンピュータ可読媒体を含み得る。パラメータのセットは、データレートパラメータと、誤り確率パラメータと、期限パラメータまたは送信リンクパラメータの少なくとも1つとを含んでよく、パラメータのセットの少なくとも第1のパラメータはデバイスに入力され、パラメータのセットの少なくとも第2のパラメータは少なくとも第1のパラメータに対して条件付けられて出力される。別のデバイスに送信される少なくとも1つのチャネルサイド情報フィードバックメッセージは、少なくとも第2のパラメータを含み得る。いくつかの例では、この命令はまた、デバイスに、説明のための例の第1のセットに関して上で説明されたワイヤレス通信のための方法の1つまたは複数の態様を実施させるように、プロセッサによって実行可能であり得る。
【００１６】
説明のための例の第5のセットにおいて、ワイヤレス通信の別の方法が説明される。一構成では、方法は、ワイヤレスチャネルを通じてワイヤレス信号をデバイスに送信するステップと、ワイヤレスチャネルの測定した状態に基づいて、少なくとも1つのチャネルサイド情報フィードバックメッセージをデバイスから受信するステップとを含んでよく、少なくとも1つのチャネルサイド情報フィードバックメッセージは、パラメータのセットの関係についての情報を提供する。パラメータのセットは、データレートパラメータと、誤り確率パラメータと、期限パラメータまたは送信リンクパラメータの少なくとも1つとを含んでよく、パラメータのセットの少なくとも第1のパラメータはデバイスに入力され、パラメータのセットの少なくとも第2のパラメータは少なくとも第1のパラメータに対して条件付けられて出力される。デバイスから受信される少なくとも1つのチャネルサイド情報フィードバックメッセージは、少なくとも第2のパラメータを含み得る。
【００１７】
方法のいくつかの例では、少なくとも1つのチャネルサイド情報フィードバックメッセージは、パラメータのセットの残りのサブセット中の各パラメータの所与の値に基づく、パラメータのセットの第1のサブセット中の各パラメータの推定された値を含み得る。これらの例では、方法は、第1のサブセットまたは残りのサブセットの少なくとも1つを示すものをデバイスに送信するステップを含み得る。方法は、さらに、または代替的に、残りのサブセットの少なくとも1つのパラメータの所与の値をデバイスに送信するステップを含み得る。いくつかの例では、少なくとも1つのチャネルサイド情報フィードバックメッセージは、第1のサブセットの少なくとも1つのパラメータの推定された値を含み得る。
【００１８】
方法のいくつかの例では、第1のサブセットは、データレートパラメータを含んでよく、残りのサブセットは、誤り確率パラメータと、期限パラメータと、送信リンクパラメータとを含んでよい。
【００１９】
方法のいくつかの例では、第1のサブセットは、誤り確率パラメータを含んでよく、残りのサブセットは、データレートパラメータと、期限パラメータと、送信リンクパラメータとを含んでよい。いくつかの例では、第1のサブセットは、期限パラメータを含んでよく、残りのサブセットは、誤り確率パラメータと、データレートパラメータと、送信リンクパラメータとを含んでよい。いくつかの例では、第1のサブセットは、送信リンクパラメータを含んでよく、残りのサブセットは、誤り確率パラメータと、期限パラメータと、データレートパラメータとを含んでよい。いくつかの例では、第1のサブセットは、データレートパラメータと送信リンクパラメータとを含んでよく、残りのサブセットは、誤り確率パラメータと期限パラメータとを含んでよい。いくつかの例では、第1のサブセットは、データレートパラメータと、期限パラメータと、送信リンクパラメータとを含んでよく、残りのサブセットは、誤り確率パラメータを含んでよい。いくつかの例では、残りのサブセットは、期限パラメータを含んでよく、第1のサブセットの少なくとも1つのパラメータの値は、期限パラメータの複数の異なる所与の値に対して推定されてよい。
【００２０】
方法のいくつかの例では、第1のサブセットは、誤り確率パラメータを含んでよく、誤り確率パラメータの値は、複数の異なる無線リンクに基づいて推定されてよい。いくつかの例では、複数の異なる無線リンクは、すべての可能性のある無線リンクのうちのサブセットであり得る。いくつかの例では、誤り確率パラメータは、複数の異なる無線リンクを通じた同時の送信に基づき得る。
【００２１】
方法のいくつかの例では、期限パラメータは、信号の信号再送信と関連付けられるレイテンシに対応し得る。
【００２２】
説明のための例の第6のセットにおいて、ワイヤレス通信のための別のデバイスが説明される。一構成では、デバイスは、ワイヤレスチャネルを通じてワイヤレス信号を別のデバイスに送信するための手段と、ワイヤレスチャネルの測定した状態に基づいて、少なくとも1つのチャネルサイド情報フィードバックメッセージを他のデバイスから受信するための手段とを含んでよく、少なくとも1つのチャネルサイド情報フィードバックメッセージは、パラメータのセットの関係についての情報を提供する。パラメータのセットは、データレートパラメータと、誤り確率パラメータと、期限パラメータまたは送信リンクパラメータの少なくとも1つとを含んでよく、パラメータのセットの少なくとも第1のパラメータは他のデバイスに入力され、パラメータのセットの少なくとも第2のパラメータは少なくとも第1のパラメータに対して条件付けられて出力される。他のデバイスから受信される少なくとも1つのチャネルサイド情報フィードバックメッセージは、少なくとも第2のパラメータを含み得る。いくつかの例では、この装置はさらに、説明のための例の第5のセットに関して上で説明されたワイヤレス通信のための方法の1つまたは複数の態様を実施するための手段を含み得る。
【００２３】
説明のための例の第7のセットにおいて、ワイヤレス通信のための別のデバイスが説明される。一構成では、このデバイスは、プロセッサと、プロセッサと電子的に通信しているメモリと、メモリに記憶された命令とを含み得る。一構成では、命令は、ワイヤレスチャネルを通じてワイヤレス信号を別のデバイスに送信し、ワイヤレスチャネルの測定した状態に基づいて、少なくとも1つのチャネルサイド情報フィードバックメッセージを他のデバイスから受信するように、プロセッサによって実行可能であってよく、少なくとも1つのチャネルサイド情報フィードバックメッセージは、パラメータのセットの関係についての情報を提供する。パラメータのセットは、データレートパラメータと、誤り確率パラメータと、期限パラメータまたは送信リンクパラメータの少なくとも1つとを含んでよく、パラメータのセットの少なくとも第1のパラメータは他のデバイスに入力され、パラメータのセットの少なくとも第2のパラメータは少なくとも第1のパラメータに対して条件付けられて出力される。他のデバイスから受信される少なくとも1つのチャネルサイド情報フィードバックメッセージは、少なくとも第2のパラメータを含み得る。いくつかの例では、この命令はまた、説明のための例の第5のセットに関して上で説明されたワイヤレス通信のための方法の1つまたは複数の態様を実施するように、プロセッサによって実行可能であり得る。
【００２４】
説明のための例の第8のセットにおいて、ワイヤレス通信システムにおけるデバイスによる通信のための別のコンピュータプログラム製品が説明される。一構成では、コンピュータプログラム製品は、デバイスに、ワイヤレスチャネルを通じてワイヤレス信号を別のデバイスへ送信させ、ワイヤレスチャネルの測定した状態に基づいて、少なくとも1つのチャネルサイド情報フィードバックメッセージを他のデバイスから受信させるように、プロセッサによって実行可能な命令を記憶した非一時的コンピュータ可読媒体を含んでよく、少なくとも1つのチャネルサイド情報フィードバックメッセージは、パラメータのセットの関係についての情報を提供する。パラメータのセットは、データレートパラメータと、誤り確率パラメータと、期限パラメータまたは送信リンクパラメータの少なくとも1つとを含んでよく、パラメータのセットの少なくとも第1のパラメータは他のデバイスに入力され、パラメータのセットの少なくとも第2のパラメータは少なくとも第1のパラメータに対して条件付けられて出力される。他のデバイスから受信される少なくとも1つのチャネルサイド情報フィードバックメッセージは、少なくとも第2のパラメータを含み得る。いくつかの例では、この命令はまた、デバイスに、説明のための例の第5のセットに関して上で説明されたワイヤレス通信のための方法の1つまたは複数の態様を実施させるように、プロセッサによって実行可能であり得る。
【００２５】
説明のための例の第9のセットにおいて、ワイヤレス通信の別の方法が説明される。一構成では、方法は、第1のデバイスによって、ワイヤレスチャネル上の干渉を測定するステップと、測定した干渉に基づいて、ワイヤレスチャネルの干渉デバイスを特定するステップと、ワイヤレスチャネル上の測定した干渉に基づいて、少なくとも1つのチャネルサイド情報フィードバックメッセージを生成するステップであって、少なくとも1つのチャネルサイド情報フィードバックメッセージが、ワイヤレスチャネルの干渉デバイスと、干渉デバイスからの測定した干渉と時間または周波数との相関とを示す、ステップと、少なくとも1つのチャネルサイド情報フィードバックメッセージを第2のデバイスに送信するステップとを含み得る。
【００２６】
方法のいくつかの例では、ワイヤレスチャネルの干渉デバイスを特定するステップは、干渉デバイスからの測定した干渉の強度が閾値を満たすと決定するステップを含み得る。いくつかの例では、少なくとも1つのチャネルサイド情報フィードバックメッセージは、干渉デバイスの識別情報を含み得る。いくつかの例では、方法は、時間または周波数の単位での干渉デバイスからの測定した干渉の周期性を推定するステップを含んでよく、測定した干渉の相関は、推定された周期性を含んでよい。いくつかの例では、方法は、干渉デバイスからの測定した干渉と関連付けられるバースト期間を決定するステップを含んでよく、少なくとも1つのチャネルサイド情報フィードバックメッセージは、バースト期間を含んでよい。
【００２７】
いくつかの例では、方法は、干渉信号の一部分を復号するステップを含んでよく、バースト期間は、干渉信号の復号された部分に基づいて決定され得る。いくつかの例では、バースト期間を決定するステップは、測定した干渉に基づいてバースト期間を推定するステップを含み得る。
【００２８】
いくつかの例では、方法は、干渉打消し動作または接合検出動作の少なくとも1つが実行されるとき、ワイヤレスチャネル上のデータレートに対する影響を予測するステップを含み得る。これらの例では、少なくとも1つのチャネルサイド情報フィードバックメッセージはさらに、干渉デバイスからの残余の干渉と時間または周波数との相関を示し得る。いくつかの例では、方法は、測定した干渉に基づいてワイヤレスデバイスの少なくとも1つの追加の干渉デバイスを特定するステップを含んでよく、少なくとも1つのチャネルサイド情報フィードバックメッセージは、ワイヤレスチャネルの少なくとも1つの追加の干渉デバイスと、少なくとも1つの追加の干渉デバイスからの測定した干渉と時間または周波数との相関とを示してよい。いくつかの例では、少なくとも1つのチャネルサイド情報フィードバックメッセージは、干渉デバイスからの測定した干渉と、少なくとも1つの追加の干渉デバイスからの測定した干渉との相関を示し得る。
【００２９】
説明のための例の第10のセットにおいて、ワイヤレス通信のための別のデバイスが説明される。一構成では、デバイスは、ワイヤレスチャネル上の干渉を測定するための手段と、測定した干渉に基づいて、ワイヤレスチャネルの干渉デバイスを特定するための手段と、ワイヤレスチャネル上の測定した干渉に基づいて、少なくとも1つのチャネルサイド情報フィードバックメッセージを生成するための手段であって、少なくとも1つのチャネルサイド情報フィードバックメッセージが、ワイヤレスチャネルの干渉デバイスと、干渉デバイスからの測定した干渉と時間または周波数との相関とを示す、手段と、少なくとも1つのチャネルサイド情報フィードバックメッセージを別のデバイスに送信するための手段とを含み得る。いくつかの例では、この装置はさらに、説明のための例の第9のセットに関して上で説明されたワイヤレス通信のための方法の1つまたは複数の態様を実施するための手段を含み得る。
【００３０】
説明のための例の第11のセットにおいて、ワイヤレス通信のための別のデバイスが説明される。一構成では、このデバイスは、プロセッサと、プロセッサと電子的に通信しているメモリと、メモリに記憶された命令とを含み得る。命令は、ワイヤレスチャネル上の干渉を測定し、測定した干渉に基づいて、ワイヤレスチャネルの干渉デバイスを特定し、ワイヤレスチャネル上の測定した干渉に基づいて、少なくとも1つのチャネルサイド情報フィードバックメッセージを生成し、少なくとも1つのチャネルサイド情報フィードバックメッセージが、ワイヤレスチャネルの干渉デバイスと、干渉デバイスからの測定した干渉と時間または周波数との相関とを示し、少なくとも1つのチャネルサイド情報フィードバックメッセージを別のデバイスに送信するように、プロセッサによって実行可能であり得る。いくつかの例では、この命令はまた、説明のための例の第9のセットに関して上で説明されたワイヤレス通信のための方法の1つまたは複数の態様を実施するように、プロセッサによって実行可能であり得る。
【００３１】
説明のための例の第12のセットにおいて、ワイヤレス通信システムにおけるデバイスによる通信のための別のコンピュータプログラム製品が説明される。一構成では、コンピュータプログラム製品は、デバイスに、ワイヤレスチャネル上の干渉を測定させ、測定した干渉に基づいて、ワイヤレスチャネルの干渉デバイスを特定させ、ワイヤレスチャネル上の測定した干渉に基づいて、少なくとも1つのチャネルサイド情報フィードバックメッセージを生成させ、少なくとも1つのチャネルサイド情報フィードバックメッセージが、ワイヤレスチャネルの干渉デバイスと、干渉デバイスからの測定した干渉と時間または周波数との相関とを示し、少なくとも1つのチャネルサイド情報フィードバックメッセージを別のデバイスへ送信させるように、プロセッサによって実行可能な命令を記憶した非一時的コンピュータ可読媒体を含み得る。いくつかの例では、この命令はまた、デバイスに、説明のための例の第9のセットに関して上で説明されたワイヤレス通信のための方法の1つまたは複数の態様を実施させるように、プロセッサによって実行可能であり得る。
【００３２】
説明のための例の第13のセットにおいて、ワイヤレス通信の別の方法が説明される。一構成では、方法は、ワイヤレスチャネルを通じてワイヤレス信号をデバイスに送信するステップと、デバイスから少なくとも1つのチャネルサイド情報フィードバックメッセージを受信するステップとを含んでよく、少なくとも1つのチャネルサイド情報フィードバックメッセージは、ワイヤレスチャネルの干渉デバイスと、干渉デバイスからの干渉と時間または周波数との相関とを示す。
【００３３】
いくつかの例では、方法は、干渉デバイスからの干渉の相関が報告されるべきワイヤレスチャネルを示すものをデバイスに送信するステップを含み得る。いくつかの例では、少なくとも1つのチャネルサイド情報フィードバックメッセージは、干渉デバイスの識別情報を含み得る。いくつかの例では、少なくとも1つのチャネルサイド情報フィードバックメッセージは、時間または周波数の単位での、干渉デバイスからの干渉の周期性を含み得る。いくつかの例では、測定した干渉の相関は、干渉デバイスからの干渉のバースト期間を含み得る。いくつかの例では、測定した干渉の相関は、干渉デバイスの残余の干渉と時間および/または周波数との相関を含み得る。
【００３４】
方法のいくつかの例では、少なくとも1つのチャネルサイド情報フィードバックメッセージは、ワイヤレスチャネルの少なくとも1つの追加の干渉デバイスと、少なくとも1つの追加の干渉デバイスからの測定した干渉と時間または周波数との相関とを示し得る。方法のいくつかの例では、少なくとも1つのチャネルサイド情報フィードバックメッセージは、干渉デバイスからの測定した干渉と、少なくとも1つの追加の干渉デバイスからの測定した干渉との相関を示し得る。
【００３５】
説明のための例の第14のセットにおいて、ワイヤレス通信のための別のデバイスが説明される。一構成では、デバイスは、ワイヤレスチャネルを通じてワイヤレス信号を別のデバイスに送信するための手段と、他のデバイスから少なくとも1つのチャネルサイド情報フィードバックメッセージを受信するための手段とを含んでよく、少なくとも1つのチャネルサイド情報フィードバックメッセージは、ワイヤレスチャネルの干渉デバイスと、干渉デバイスからの干渉と時間または周波数との相関とを示す。いくつかの例では、この装置はさらに、説明のための例の第13のセットに関して上で説明されたワイヤレス通信のための方法の1つまたは複数の態様を実施するための手段を含み得る。
【００３６】
説明のための例の第15のセットにおいて、ワイヤレス通信のための別のデバイスが説明される。一構成では、このデバイスは、プロセッサと、プロセッサと電子的に通信しているメモリと、メモリに記憶された命令とを含み得る。命令は、ワイヤレスチャネルを通じてワイヤレス信号を別のデバイスに送信し、他のデバイスから少なくとも1つのチャネルサイド情報フィードバックメッセージを受信するように、プロセッサによって実行可能であってよく、少なくとも1つのチャネルサイド情報フィードバックメッセージは、ワイヤレスチャネルの干渉デバイスと、干渉デバイスからの干渉と時間または周波数との相関とを示す。いくつかの例では、この命令はまた、説明のための例の第13のセットに関して上で説明されたワイヤレス通信のための方法の1つまたは複数の態様を実施するように、プロセッサによって実行可能であり得る。
【００３７】
説明のための例の第16のセットにおいて、ワイヤレス通信システムにおけるデバイスによる通信のための別のコンピュータプログラム製品が説明される。一構成では、コンピュータプログラム製品は、デバイスに、ワイヤレスチャネルを通じてワイヤレス信号を別のデバイスへ送信させ、他のデバイスから少なくとも1つのチャネルサイド情報フィードバックメッセージを受信させるように、プロセッサによって実行可能な命令を記憶した非一時的コンピュータ可読媒体を含んでよく、少なくとも1つのチャネルサイド情報フィードバックメッセージは、ワイヤレスチャネルの干渉デバイスと、干渉デバイスからの干渉と時間または周波数との相関とを示す。いくつかの例では、この命令はまた、デバイスに、説明のための例の第13のセットに関して上で説明されたワイヤレス通信のための方法の1つまたは複数の態様を実施させるように、プロセッサによって実行可能であり得る。
【００３８】
説明のための例の第17のセットにおいて、ワイヤレス通信の別の方法が説明される。一構成では、方法は、第1のデバイスによって、ワイヤレスチャネルの状態を測定するステップと、ワイヤレスチャネルの測定した状態に基づいて、少なくとも1つのチャネルサイド情報フィードバックメッセージを生成するステップであって、少なくとも1つのチャネルサイド情報フィードバックメッセージが時間または周波数と相関のある少なくとも1つのパラメータについての情報を提供する、ステップと、少なくとも1つのチャネルサイド情報フィードバックメッセージを第2のデバイスに送信するステップとを含み得る。
【００３９】
方法のいくつかの例では、少なくとも1つのパラメータはデータレートパラメータを含み得る。いくつかの例では、方法は、時間または周波数の単位での少なくとも1つのパラメータの周期性を推定するステップを含んでよく、少なくとも1つのチャネルサイド情報フィードバックメッセージは、推定された周期性を含んでよい。
【００４０】
説明のための例の第18のセットにおいて、ワイヤレス通信のための別のデバイスが説明される。一構成では、デバイスは、ワイヤレスチャネルの状態を測定するための手段と、ワイヤレスチャネルの測定した状態に基づいて、少なくとも1つのチャネルサイド情報フィードバックメッセージを生成するための手段であって、少なくとも1つのチャネルサイド情報フィードバックメッセージが時間または周波数と相関のある少なくとも1つのパラメータについての情報を提供する、手段と、少なくとも1つのチャネルサイド情報フィードバックメッセージを別のデバイスに送信するための手段とを含み得る。いくつかの例では、この装置はさらに、説明のための例の第17のセットに関して上で説明されたワイヤレス通信のための方法の1つまたは複数の態様を実施するための手段を含み得る。
【００４１】
説明のための例の第19のセットにおいて、ワイヤレス通信のための別のデバイスが説明される。一構成では、このデバイスは、プロセッサと、プロセッサと電子的に通信しているメモリと、メモリに記憶された命令とを含み得る。命令は、第1のデバイスによって、ワイヤレスチャネルの状態を測定し、ワイヤレスチャネルの測定した状態に基づいて、少なくとも1つのチャネルサイド情報フィードバックメッセージを生成し、少なくとも1つのチャネルサイド情報フィードバックメッセージが時間または周波数と相関のある少なくとも1つのパラメータについての情報を提供し、少なくとも1つのチャネルサイド情報フィードバックメッセージを別のデバイスに送信するように、プロセッサによって実行可能であり得る。いくつかの例では、この命令はまた、説明のための例の第17のセットに関して上で説明されたワイヤレス通信のための方法の1つまたは複数の態様を実施するように、プロセッサによって実行可能であり得る。
【００４２】
説明のための例の第20のセットにおいて、ワイヤレス通信システムにおけるデバイスによる通信のための別のコンピュータプログラム製品が説明される。一構成では、コンピュータプログラム製品は、デバイスに、第1のデバイスによって、ワイヤレスチャネルの状態を測定させ、ワイヤレスチャネルの測定した状態に基づいて、少なくとも1つのチャネルサイド情報フィードバックメッセージを生成させ、少なくとも1つのチャネルサイド情報フィードバックメッセージが時間または周波数と相関のある少なくとも1つのパラメータについての情報を提供し、少なくとも1つのチャネルサイド情報フィードバックメッセージを別のデバイスへ送信させるように、プロセッサによって実行可能な命令を記憶した非一時的コンピュータ可読媒体を含み得る。いくつかの例では、この命令はまた、デバイスに、説明のための例の第17のセットに関して上で説明されたワイヤレス通信のための方法の1つまたは複数の態様を実施させるように、プロセッサによって実行可能であり得る。
【００４３】
説明のための例の第21のセットにおいて、ワイヤレス通信の別の方法が説明される。一構成では、方法は、ワイヤレスチャネルを通じてワイヤレス信号をデバイスに送信するステップと、ワイヤレスチャネルの測定した状態に基づいて、少なくとも1つのチャネルサイド情報フィードバックメッセージをデバイスから受信するステップとを含んでよく、少なくとも1つのチャネルサイド情報フィードバックメッセージは、時間または周波数と相関のある少なくとも1つのパラメータについての情報を提供する。
【００４４】
方法のいくつかの例では、少なくとも1つのパラメータはデータレートパラメータを含み得る。方法のいくつかの例では、少なくとも1つのチャネルサイド情報フィードバックメッセージは、時間または周波数の単位での、少なくとも1つのパラメータの周期性を含み得る。
【００４５】
説明のための例の第22のセットにおいて、ワイヤレス通信のための別のデバイスが説明される。一構成では、デバイスは、ワイヤレスチャネルを通じてワイヤレス信号をデバイスに送信するための手段と、ワイヤレスチャネルの測定した状態に基づいて、少なくとも1つのチャネルサイド情報フィードバックメッセージをデバイスから受信するための手段とを含んでよく、少なくとも1つのチャネルサイド情報フィードバックメッセージは、時間または周波数と相関のある少なくとも1つのパラメータについての情報を提供する。いくつかの例では、この装置はさらに、説明のための例の第21のセットに関して上で説明されたワイヤレス通信のための方法の1つまたは複数の態様を実施するための手段を含み得る。
【００４６】
説明のための例の第23のセットにおいて、ワイヤレス通信のための別のデバイスが説明される。一構成では、このデバイスは、プロセッサと、プロセッサと電子的に通信しているメモリと、メモリに記憶された命令とを含み得る。命令は、ワイヤレスチャネルを通じてワイヤレス信号をデバイスに送信し、ワイヤレスチャネルの測定した状態に基づいて、少なくとも1つのチャネルサイド情報フィードバックメッセージをデバイスから受信するように、プロセッサによって実行可能であってよく、少なくとも1つのチャネルサイド情報フィードバックメッセージは、時間または周波数と相関のある少なくとも1つのパラメータについての情報を提供する。いくつかの例では、この命令はまた、説明のための例の第21のセットに関して上で説明されたワイヤレス通信のための方法の1つまたは複数の態様を実施するように、プロセッサによって実行可能であり得る。
【００４７】
説明のための例の第24のセットにおいて、ワイヤレス通信システムにおけるデバイスによる通信のための別のコンピュータプログラム製品が説明される。一構成では、コンピュータプログラム製品は、デバイスに、ワイヤレスチャネルを通じてワイヤレス信号をデバイスへ送信させ、ワイヤレスチャネルの測定した状態に基づいて、少なくとも1つのチャネルサイド情報フィードバックメッセージをデバイスから受信させるように、プロセッサによって実行可能な命令を記憶した非一時的コンピュータ可読媒体を含んでよく、少なくとも1つのチャネルサイド情報フィードバックメッセージは、時間または周波数と相関のある少なくとも1つのパラメータについての情報を提供する。いくつかの例では、この命令はまた、デバイスに、説明のための例の第21のセットに関して上で説明されたワイヤレス通信のための方法の1つまたは複数の態様を実施させるように、プロセッサによって実行可能であり得る。
【００４８】
上記では、以下の発明を実施するための形態がより良く理解され得るように、本開示による例の特徴および技術的利点についてかなり広く概説した。以下で、追加の特徴および利点について説明する。開示される概念および具体例は、本開示の同じ目的を実行するために他の構造を変更または設計するための基礎として容易に利用され得る。そのような同等の構成は、添付の特許請求の範囲の趣旨および範囲から逸脱しない。本明細書で開示される概念の特性であると考えられる特徴は、それらの編成と動作方法の両方に関して、添付の図とともに検討されると、関連する利点とともに以下の説明からより良く理解されよう。図の各々は、特許請求の範囲の限界を定めるものとしてではなく、例示および説明のみの目的で与えられる。
【００４９】
本発明の性質および利点のさらなる理解は、添付の図面を参照することによって実現され得る。添付の図面では、同様の構成要素または特徴は、同じ参照符号を有することがある。さらに、同じタイプの様々な構成要素は、同様の構成要素を区別するダッシュおよび第2の符号を参照符号の後に続けることによって区別され得る。第1の参照符号のみが明細書で使用される場合、説明は、第2の参照符号とは無関係に、同じ第1の参照符号を有する同様の構成要素のいずれにも適用可能である。
【００５０】
本発明の性質および利点のさらなる理解は、添付の図面を参照することによって実現され得る。添付の図面では、同様の構成要素または特徴は、同じ参照符号を有することがある。さらに、同じタイプの様々な構成要素は、同様の構成要素を区別するダッシュおよび第2の符号を参照符号の後に続けることによって区別され得る。第1の参照符号のみが明細書で使用される場合、説明は、第2の参照符号とは無関係に、同じ第1の参照符号を有する同様の構成要素のいずれにも適用可能である。
【図面の簡単な説明】
【００５１】
【図１】本開示の様々な態様による、ワイヤレス通信システムの図である。
【図２】本開示の様々な態様による、ワイヤレス通信システムの図である。
【図３】本開示の様々な態様による、ワイヤレス通信システムの図である。
【図４】本開示の様々な態様による、受信デバイスと送信デバイスとの間の例示的なメッセージフローを示す図である。
【図５】本開示の様々な態様による、受信デバイスと送信デバイスとの間の例示的なメッセージフローを示す図である。
【図６】本開示の様々な態様による、ワイヤレス通信で使用するための受信デバイスのブロック図である。
【図７】本開示の様々な態様による、ワイヤレス通信で使用するための受信デバイスのブロック図である。
【図８】本開示の様々な態様による、ワイヤレス通信で使用するための受信デバイスのブロック図である。
【図９】本開示の様々な態様による、ワイヤレス通信で使用するための送信デバイスのブロック図である。
【図１０】本開示の様々な態様による、ワイヤレス通信で使用するための送信デバイスのブロック図である。
【図１１】本開示の様々な態様による、ワイヤレス通信で使用するための送信デバイスのブロック図である。
【図１２】本開示の様々な態様による、ワイヤレス通信で使用するためのUEのブロック図である。
【図１３】本開示の様々な態様による、ワイヤレス通信において使用する基地局(たとえば、eNBの一部またはすべてを形成する基地局)のブロック図である。
【図１４】本開示の様々な態様による、ワイヤレス通信のための方法の例を示すフローチャートである。
【図１５】本開示の様々な態様による、ワイヤレス通信のための方法の例を示すフローチャートである。
【図１６】本開示の様々な態様による、ワイヤレス通信のための方法の例を示すフローチャートである。
【図１７】本開示の様々な態様による、ワイヤレス通信のための方法の例を示すフローチャートである。
【図１８】本開示の様々な態様による、ワイヤレス通信のための方法の例を示すフローチャートである。
【図１９】本開示の様々な態様による、ワイヤレス通信のための方法の例を示すフローチャートである。
【図２０】本開示の様々な態様による、ワイヤレス通信のための方法の例を示すフローチャートである。
【図２１】本開示の様々な態様による、ワイヤレス通信のための方法の例を示すフローチャートである。
【発明を実施するための形態】
【００５２】
CSF報告を改善するための技法が説明される。受信デバイスおよび送信デバイスがあるチャネルを通じて通信しているとき、所与の送信が失われる(たとえば、受信デバイスによって受信されない、または適切に復号されない)ある確率(誤り確率)がある。LTE/LTE-A通信システムなどの現在の多重接続通信システムでは、受信デバイスはCSF報告を送信デバイスに提供し得る。この報告は、定められた誤り確率のもとでワイヤレスチャネル上で観測されるデータレートを示し得る。LTE/LTE-A通信システムでは、特定の時間に行われる単一の送信に対する誤り確率が、3GPP規格において10%と定められている。しかしながら、10%の誤り確率は、一部のサービスに対しては満足のいくものではないことがある。代わりに、または加えて、一部のサービスは、他のパラメータを重要であると見なすことがある。現在のCSF報告は、スペクトル効率および/または持続される(平均の)容量を最大化することを目的としている。しかしながら、一部のサービスは他の成果に関心があり得る。たとえば、あるサービスは、ある定められた誤り確率、可変のレイテンシまたは期限(たとえば、1ミリ秒または1回の信号送信という期限)、および送信リンクの個々または組合せ(たとえば、2GHzの送信リンクおよび5GHzの送信リンク)のもとで、どのようなデータレートが実現され得るかを知ることを望むことがある。別の例として、あるサービスは、異なるデータレートのもとでどのような誤り確率が実現され得るかを知ることを望むことがある。
【００５３】
送信デバイスはまた、CSF報告を介して、ワイヤレスチャネルと干渉しているデバイスの識別情報、ならびに、干渉デバイスからの干渉と時間および/または周波数との相関を受信するのを有用であると見なすことがある。送信デバイスはまた、CSF報告を介して、データレートなどのパラメータと時間および/または周波数との相関を受信するのを有用であると見なすことがある。そのような時間および/または周波数と相関する情報は、送信デバイスが1つまたは複数のCSFパラメータを予測することを可能にし得る。一例では、そのような予測は、送信デバイスによって受信される否定応答(NAK)の割合をかなり上昇させる干渉している一時的なバーストに対して、送信デバイスが自身の応答を適合させることを可能にし得る。
【００５４】
本明細書で説明される技法は、CDMA、TDMA、FDMA、OFDMA、SC-FDMA、および他のシステムなどの様々なワイヤレス通信システムのために使用され得る。「システム」および「ネットワーク」という用語は、しばしば互換的に使用される。CDMAシステムは、CDMA2000、Universal Terrestrial Radio Access (UTRA)などの無線技術を実装し得る。CDMA2000は、IS-2000、IS-95およびIS-856規格をカバーする。IS-2000リリース0およびAは、一般に、CDMA2000 1X、1Xなどと呼ばれる。IS-856(TIA-856)は、一般に、CDMA2000 1xEV-DO、High Rate Packet Data (HRPD)などと呼ばれる。UTRAは、Wideband CDMA (WCDMA(登録商標))およびCDMAの他の変形態を含む。TDMAシステムは、Global System for Mobile Communications (GSM(登録商標))などの無線技術を実装し得る。OFDMAシステムは、Ultra Mobile Broadband (UMB)、Evolved UTRA (E-UTRA)、IEEE 802.11 (WiFi)、IEEE 802.16 (WiMAX)、IEEE 802.20、Flash-OFDM(商標)などの無線技術を実装し得る。UTRAおよびE-UTRAは、Universal Mobile Telecommunication System (UMTS)の一部である。3GPP LTEおよびLTE-Aは、E-UTRAを使用するUMTSの新たなリリースである。UTRA、E-UTRA、UMTS、LTE、LTE-A、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明される技法は、上述のシステムおよび無線技術、ならびに他のシステムおよび無線技術に使用され得る。しかしながら、以下の説明は例示の目的のためにLTEシステムについて記載し、以下の説明の多くにおいてLTE用語が使用されるが、本技術はLTEの適用例以外に適用可能である。
【００５５】
以下の説明は、例を提供し、特許請求の範囲に記載の範囲、適用性、または例を限定するものではない。本開示の趣旨および範囲から逸脱することなく、論じられる要素の機能および構成において変更が行われ得る。様々な例は、必要に応じて、様々な手順または構成要素を省略し、置換し、または追加することができる。たとえば、説明される方法は、説明される順序とは異なる順序で実行されてよく、様々なステップが追加され、省略され、または組み合わされてよい。また、いくつかの例に関して説明される特徴は、他の例においては組み合わされてよい。
【００５６】
図1は、本開示の様々な態様による、ワイヤレス通信システム100の図を示す。ワイヤレス通信システム100は、複数の基地局105(たとえば、1つまたは複数のeNBの部分またはすべてを形成する基地局)と、いくつかのUE115と、コアネットワーク130とを含み得る。基地局105のいくつかは、基地局コントローラ(図示せず)の制御のもとでUE115と通信することができ、基地局コントローラは、コアネットワーク130の一部であってよく、または様々な例では、基地局105のうちの特定のものであってよい。基地局105のいくつかは、バックホール132を介してコアネットワーク130と制御情報および/またはユーザデータを通信し得る。いくつかの例では、基地局105のいくつかは、バックホールリンク134を通じて互いに、直接または間接的に通信することができ、バックホールリンク134は、有線送信リンクまたはワイヤレス送信リンクであり得る。ワイヤレス通信システム100は、複数の送信リンクまたはキャリア(異なる周波数の波形信号)に対する動作をサポートし得る。マルチキャリア送信機は、変調された信号を複数のキャリア上で同時に送信することができる。たとえば、各送信リンク125は、様々な無線技術に従って変調されたマルチキャリア信号であり得る。各々の変調された信号は、異なるキャリア上で送信されてよく、制御情報(たとえば、基準信号、制御チャネルなど)、オーバーヘッド情報、データなどを搬送し得る。
【００５７】
基地局105は、1つまたは複数の基地局アンテナを介して、UE115とワイヤレスに通信することができる。基地局105の各々は、それぞれのカバレッジエリア110のための通信カバレッジを提供し得る。いくつかの例では、基地局105は、アクセスポイント、基地局装置(BTS:base transceiver station)、無線基地局、無線送受信機、基本サービスセット(BSS:basic service set)、拡張サービスセット(ESS:extended service set)、NodeB、evolved NodeB(eNB)、Home NodeB、Home eNodeB、WLANアクセスポイント、WiFiノード、または他の適切な用語で呼ばれ得る。基地局105のカバレッジエリア110は、カバレッジエリアの一部分のみを構成するセクタに分割され得る。ワイヤレス通信システム100は、様々なタイプの基地局105(たとえば、マクロ基地局、マイクロ基地局、および/またはピコ基地局)を含み得る。基地局105はまた、セルラー無線アクセス技術および/またはWLAN無線アクセス技術などの異なる無線技術を利用し得る。基地局105は、同じまたは異なるアクセスネットワークまたは事業者展開(たとえば、本明細書では総称的に「事業者」と呼ばれる)と関連付けられ得る。同じもしくは異なるタイプの基地局105のカバレッジエリアを含む、同じもしくは異なる無線技術を利用する、および/または同じもしくは異なるアクセスネットワークに属する異なる基地局105のカバレッジエリアは、重複することがある。
【００５８】
いくつかの例では、ワイヤレス通信システム100は、LTE/LTE-A通信システム(またはネットワーク)を含み得る。他の例では、ワイヤレス通信システム100は、LTE/LTE-Aとは異なる1つまたは複数のアクセス技術を使用してワイヤレス通信をサポートすることができる。LTE/LTE-A通信システムでは、たとえば、基地局105の個々のものまたはグループを表すために、evolved NodeBまたはeNBという用語が使用され得る。
【００５９】
ワイヤレス通信システム100は、異なるタイプの基地局105が様々な地理的領域のためのカバレッジを提供する異種LTE/LTE-Aネットワークであってよく、またはそれを含んでよい。たとえば、各基地局105は、マクロセル、ピコセル、フェムトセル、および/または他のタイプのセルのための通信カバレッジを提供し得る。ピコセル、フェムトセル、および/または他のタイプのセルのような小さいセルは、低電力ノードすなわちLPNを含み得る。マクロセルは、たとえば、比較的大きい地理的エリア(たとえば、半径数キロメートル)をカバーし、ネットワークプロバイダとのサービス加入を有するUEによる無制限のアクセスを可能にし得る。ピコセルは、たとえば、比較的小さい地理的エリアをカバーし、ネットワークプロバイダとのサービス加入を有するUEによる無制限のアクセスを可能にし得る。フェムトセルはまた、たとえば、比較的小さい地理的エリア(たとえば、自宅)をカバーし、無制限のアクセスに加えて、フェムトセルとの関連を有するUE(たとえば、特定の加入者グループ(CSG:closed subscriber group)内のUE、自宅内のユーザのためのUEなど)による制限されたアクセスも提供し得る。マクロセル用のeNBは、マクロeNBと呼ばれることがある。ピコセル用のeNBはピコeNBと呼ばれることがある。そして、フェムトセル用のeNBは、フェムトeNBまたはホームeNBと呼ばれることがある。eNBは、1つまたは複数(たとえば、2つ、3つ、4つなど)のセルをサポートし得る。
【００６０】
コアネットワーク130は、バックホール132(たとえば、S1アプリケーションプロトコルなど)を介して基地局105と通信し得る。基地局105はまた、バックホールリンク134(たとえば、X2アプリケーションプロトコルなど)を介して、および/またはバックホール132を介して(たとえば、コアネットワーク130を通じて)、直接または間接的に互いに通信し得る。ワイヤレス通信システム100は、同期動作または非同期動作をサポートし得る。同期動作では、eNBは類似するフレームタイミングおよび/またはゲーティングタイミングを有することがあり、異なるeNBからの送信は、時間的にほぼ揃えられ得る。非同期動作では、eNBは異なるフレームタイミングおよび/またはゲーティングタイミングを有することがあり、異なるeNBからの送信は、時間的に揃えられないことがある。
【００６１】
UE115は、ワイヤレス通信システム100の全体に散らばっていることがある。UE115はまた、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれ得る。UE115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、腕時計または眼鏡などの着用可能なアイテム、ワイヤレスローカルループ(WLL)局などであり得る。UE115は、マクロeNB、ピコeNB、フェムトeNB、リレーなどと通信することが可能であり得る。UE115はまた、セルラーアクセスネットワークもしくは他のWWANアクセスネットワーク、またはWLANアクセスネットワークなどの、異なるタイプのアクセスネットワークを通じて通信することが可能であり得る。UE115との通信のいくつかのモードでは、通信は、複数の送信リンク125またはチャネル(すなわち、コンポーネントキャリア)を通じて行われてよく、各チャネルは、UE115といくつかのセル(たとえばサービングセル、これらのセルはいくつかの場合、同じまたは異なる基地局105によって運用され得る)のうちの1つとの間のコンポーネントキャリアを使用する。
【００６２】
ワイヤレス通信システム100において示される送信リンク125は、アップリンク(UL)通信(たとえば、UE115から基地局105への送信)を搬送するためのアップリンクチャネル(コンポーネントキャリアを使用する)、および/またはダウンリンク(DL)通信(たとえば、基地局105からUE115への送信)を搬送するためのダウンリンクチャネル(コンポーネントキャリアを使用する)を含み得る。UL通信または送信はまた、逆方向リンク通信または逆方向リンク送信と呼ばれることがあり、DL通信または送信は、順方向リンク通信または順方向リンク送信と呼ばれることがある。
【００６３】
前に論じられたように、大半の既存のセルラーシステムは、基準測定リソース上での所与の誤り確率に対するチャネルサイド情報を受信デバイス(たとえば、UE115)が送信デバイス(たとえば、基地局105)に報告するような、レート制御手順を実施する。たとえば、UE115は、UE115において観測されるチャネル状態と、所与の推定される誤り確率P(たとえば、10%のブロック誤り率)とに基づいて、予測データレートRを基地局105に送信することができる。予測データレートRを受信すると、基地局105は、予測データレートRでまたはその近傍で送信するのに適合されている、変調およびコーディング方式(MCS)を決定することができる。
【００６４】
既存のフレームワークの1つの問題は、基地局105が異なる誤り率の目標または異なるレイテンシの目標を考慮してMCSを選択するのに十分な方法を有しないことがあるということである。たとえば、基地局105が非常に低い誤り確率(たとえば、10%未満)を目標とするとき、バースト性の干渉が存在する場合、非対称のステップサイズおよび/または高い送信冗長性を使用するのが有用であり得る。しかし、既存の報告の方式では、チャネルサイド情報を使用してそのような状態がいつ発生するかを推測するのは困難であり、または不可能であり得る。加えて、レート予測の既存の方法は、複数の送信リンクの使用を考慮していないので、送信デバイスに報告されるチャネルサイド情報において不正確なレート予測を提供する可能性がある。
【００６５】
これらの問題および他の問題を考慮して、UE115の1つまたは複数または図1の他のデバイスは、データレートパラメータ、誤り確率パラメータ、期限パラメータ、および/または送信リンクパラメータの間の関係についての情報を提供する、チャネルサイド情報フィードバックメッセージを生成することができる。この情報フィードバックメッセージは、残りのパラメータの想定される値または所与の値に基づく、パラメータの1つまたは複数の推定される値を含み得る。チャネルサイド情報フィードバックメッセージに期限パラメータおよび/または送信リンクパラメータを追加することで、メッセージを受信する基地局105に、UE115によって観測されるチャネル状態のより良好な実態を提供することができ、基地局105が、より多種多様なチャネル状態およびアプリケーション要求を考慮するようにMCSおよび他の送信方式を選択することが可能になり得る。
【００６６】
加えて、または代わりに、UE115の1つまたは複数または図1の他のデバイスは、ワイヤレスチャネルの干渉デバイスを特定し、干渉デバイスからの測定した干渉と時間または周波数との相関を示す、チャネルサイド情報フィードバックメッセージを基地局105に送信することができる。このようにして、基地局105は、UE115と通信するためのMCSおよび他の通信方式およびリソースの割振りを選択するとき、特定された干渉デバイスによる干渉の傾向を、識別して予測することができる。たとえば、基地局105は、干渉デバイスからの干渉が発生する可能性が高いとき、UE115との通信のためにより低次のMCSまたはより大きな送信出力を選択することができる。加えて、または代わり、基地局105は、干渉デバイスからの干渉が発生する可能性が高いとき、UE115との通信をスケジューリングするのを避けることができる。
【００６７】
図2は、本開示の様々な態様による、ワイヤレス通信システム200の図を示す。ワイヤレス通信システム200は、受信デバイス205-aおよび送信デバイス210-aを含み得る。いくつかの例では、受信デバイス205-aは、図1を参照して説明されたUE115の1つまたは複数の態様の例であり得る。いくつかの例では、送信デバイス210-aは、図1を参照して説明された基地局105の1つまたは複数の態様の例であり得る。
【００６８】
示されるように、受信デバイス205-aおよび送信デバイス210-aは、単一の通信リンク215を通じて通信し得る。上で論じられたように、受信デバイス205-aは、送信デバイス210-aにチャネルサイド情報フィードバックメッセージを提供することができる。いくつかの例では、チャネルサイド情報フィードバックメッセージは、データレートパラメータ、誤り確率パラメータ、期限パラメータ、および/または送信リンクパラメータの間の関係についての情報を提供することができる。この情報フィードバックメッセージは、残りのパラメータの想定される値または所与の値に基づく、パラメータの1つまたは複数の推定される値を含み得る。加えて、または代わりに、情報フィードバックメッセージは、ワイヤレスチャネルの干渉デバイスを特定し、干渉デバイスからの測定した干渉と時間または周波数との相関を示すことができる。
【００６９】
チャネルサイド情報フィードバックメッセージにおいて受信デバイス205-aによって提供される情報を使用して、送信デバイス210-aは、受信デバイス205-aへの送信のためのMCSまたは他の送信方式を選択することができる。送信デバイス210-aはまた、受信されたチャネルサイド情報フィードバックメッセージに基づいて、時間または周波数リソースを通じた受信デバイス205-aへの送信をスケジューリングすることができる。
【００７０】
図3は、本開示の様々な態様による、ワイヤレス通信システム300の図を示す。ワイヤレス通信システム300は、受信デバイス205-bおよび送信デバイス210-bを含み得る。いくつかの例では、受信デバイス205-bは、図1を参照して説明されたUE115の1つまたは複数の態様の例、および/または、図2を参照して説明された受信デバイス205-aの1つまたは複数の態様の例であり得る。いくつかの例では、送信デバイス210-bは、図1を参照して説明された基地局105の1つまたは複数の態様の例、および/または、図2を参照して説明された送信デバイス210-bの1つまたは複数の態様の例であり得る。
【００７１】
示されるように、受信デバイス205-bおよび送信デバイス210-bは、複数の送信リンク315-a、315-b、および315-cを通じて通信し得る。3つの送信リンク315が示されているが、受信デバイスおよび送信デバイス210-bは、任意の数の送信リンクを通じて通信することができる。
【００７２】
いくつかの例では、受信デバイス205は、図2に示されるような単一の送信リンクを通じて、または図3に示されるような複数の送信リンク315を通じて、送信デバイス210と適応的に通信することが可能であり得る。図1〜図2のシステム100、200に関して上で説明されたように、図3の受信デバイス205-bは、送信デバイス210-bにチャネルサイド情報フィードバックメッセージを提供することができる。いくつかの例では、チャネルサイド情報フィードバックメッセージは、データレートパラメータ、誤り確率パラメータ、期限パラメータ、および/または送信リンクパラメータの間の関係についての情報を提供することができる。この情報フィードバックメッセージは、残りのパラメータの想定される値または所与の値に基づく、パラメータの1つまたは複数の推定される値を含み得る。加えて、または代わりに、情報フィードバックメッセージは、ワイヤレスチャネルの干渉デバイスを特定し、干渉デバイスからの測定した干渉と時間または周波数との相関を示すことができる。送信デバイス210-bは、チャネルサイド情報フィードバックメッセージ中の情報を使用して、受信デバイス205-bへの送信を適応的に制御することができる。
【００７３】
チャネルサイド情報フィードバックメッセージにおいて受信デバイス205-bによって提供される情報を使用して、送信デバイス210-bは、受信デバイス205-bへの送信のためのMCSまたは他の送信方式を選択することができる。送信デバイス210-bはまた、受信されたチャネルサイド情報フィードバックメッセージに基づいて、時間または周波数リソースを通じた受信デバイス205-bへの送信をスケジューリングすることができる。
【００７４】
図4は、本開示の様々な態様による、受信デバイス205-cと送信デバイス210-cとの間の例示的なメッセージフロー400を示す。いくつかの例では、受信デバイス205-c(たとえば、ワイヤレスデバイス)は、図1を参照して説明されたUE115の1つもしくは複数の態様の例、ならびに/または、図2および/もしくは図3を参照して説明された受信デバイス205の1つもしくは複数の態様の例であり得る。いくつかの例では、送信デバイス210-c(たとえば、ワイヤレスデバイス)は、図1を参照して説明された基地局105の1つもしくは複数の態様の例、ならびに/または、図2および/もしくは図3を参照して説明された送信デバイス210の1つもしくは複数の態様の例であり得る。
【００７５】
メッセージフロー400は、繰り返しの方式で実行されてよく、たとえば、ブロック415またはブロック435において開始してよい。ブロック415において、受信デバイス205-cは、送信デバイス210-cへの送信のために少なくとも1つのチャネルサイド情報フィードバック(CSF)メッセージ420を生成することができる。少なくとも1つのCSFメッセージは、たとえばワイヤレスチャネルの測定した状態に基づいて生成され得る。いくつかの場合、ワイヤレスチャネルの状態は、受信デバイス205-cによって測定され得る。いくつかの場合、ワイヤレスチャネルは、図4に示されるメッセージの1つまたは複数がその上で送信されるワイヤレスチャネルを含み得る。
【００７６】
少なくとも1つのCSFメッセージは、パラメータのセットの関係についての情報を提供し得る。例として、パラメータのセットは、データレート(R)パラメータと、誤り確率(P)パラメータと、期限(T)パラメータまたは送信リンク(L)パラメータの少なくとも1つとを含み得る。データレート(R)パラメータおよび誤り確率(P)パラメータは、すでに論じられたデータレート(R)パラメータおよび誤り確率(P)パラメータと同様であり得る。期限パラメータは、たとえば、信号送信を完了するための時間または送信の試行の回数(たとえば、レイテンシ)を示し得る。送信リンクパラメータは、たとえば、1つまたは複数の送信リンクの識別情報または送信リンクの数を示し得る。
【００７７】
少なくとも1つのCSFメッセージを生成するステップは、パラメータのセットの残りのサブセット中の各パラメータの所与の値に基づいて、パラメータのセットの第1のサブセット中の各パラメータの値を推定するステップを含み得る。言い換えると、残りのサブセット中の各パラメータの所与の値が、第1のサブセット中の各パラメータの値が推定される状態を指定するように、関係が確立され得る。いくつかの例では、パラメータの第1のサブセットの少なくとも第1のパラメータは受信デバイス205-cに入力されてよく、パラメータの残りのサブセットの少なくとも第2のパラメータは少なくとも第1のパラメータに対して条件付けられて出力されてよい。そのような場合、送信デバイス210-cに送信される少なくとも1つのCSFメッセージ420は、受信デバイス205-cに出力される少なくとも第2のパラメータを含み得る。いくつかの場合、パラメータの残りのサブセット中のパラメータの所与の値は、送信デバイス210-cから、および/または状態を測定したワイヤレスチャネルを通じて、受信され得る。いくつかの場合、パラメータの残りのサブセット中のパラメータの所与の値は、受信デバイス205-cによって独立に決定(または構成)され得る。期限パラメータの1つの有用な値は、信号の信号再送信と関連付けられるレイテンシであり得る。いくつかの場合、期限パラメータの値は、トラフィックのタイプに基づき得る(かつ、期限パラメータの値は異なるトラフィックタイプに対しては異なり得る)。
【００７８】
第1のサブセット中の少なくとも1つのパラメータの推定される値は、パラメータのセットの関係についての情報の一部またはすべてとして、少なくとも1つのCSFメッセージにおいて送信デバイス210-cに提供され得る。残りのサブセット中の1つまたは複数のパラメータの所与の値はまた、パラメータのセットの関係についての情報の一部として少なくとも1つのCSFメッセージにおいて、または別のメッセージにおいて(特に、所与の値が受信デバイス205-cによって決定されるとき、または別様に送信デバイス210-cに対して知られていないとき)、送信デバイス210-cに提供され得る。
【００７９】
送信デバイス210-cおよび/または受信デバイス205-cによって、第1のサブセットまたは残りのサブセットにパラメータが割り当てられ得る。一次の条件付けまたは報告のもとでは、1つのパラメータが第1のサブセットに含まれてよく、1つまたは複数の他のパラメータが残りのサブセットに含まれてよい(たとえば、{第1のサブセット|残りのサブセット}は、{R|P,T,L}、{L|P,T,R}、{T|P,R,L}、または{P|R,T,L}として定義され得る)。二次の条件付けまたは報告のもとでは、2つのパラメータが第1のサブセットに含まれてよく、1つまたは複数の他のパラメータが残りのサブセット(たとえば、{R,L|P,T}、{R,P|T,L}、{R,T|P,L}、{P,T|R,L}、{P,L|R,T}、または{T,L|P,R})に含まれてよい。三次の条件付けまたは報告のもとでは、3つのパラメータが第1のサブセットに含まれてよく、1つまたは複数の他のパラメータが残りのサブセット(たとえば、{R,P,T|L}、{R,P,L|T}、{R,T,L|P}、{P,T,L|R})に含まれてよい。
【００８０】
いくつかの例では、複数の異なる値が残りのサブセット中の少なくとも1つのパラメータのために与えられてよく、第1のサブセット中の各パラメータの値が各々の異なる値に対して(または残りのサブセットが複数のパラメータを含むときは、値の各々の異なる組合せに対して)推定されてよい。たとえば、第1のサブセットは、データレートパラメータ、誤り確率パラメータ、および/または送信リンクパラメータを含んでよく、残りのサブセットは、期限パラメータを含んでよい。この例では、複数の値は、期限パラメータのために与えられてよく、第1のサブセット中の各パラメータの値は、期限パラメータの各々の所与の値に対して推定されてよい。別の例では、第1のサブセットは、誤り確率パラメータを含んでよく、残りのサブセットは、送信リンクパラメータを含んでよい。この例では、複数の異なる送信リンク(たとえば、無線リンク)が送信リンクパラメータのために示されてよく、誤り確率パラメータの値が示された送信リンクの各々のために推定されてよい。さらに、または代わりに、誤り確率パラメータの値は、複数の送信リンクを通じた同時の送信(たとえば、キャリアアグリゲーションモードにおける)に基づいて推定され得る。複数の異なる送信リンクは、すべての可能性のある送信リンクまたはすべての可能性のある送信リンクのうちの選択されたサブセットを含み得る。
【００８１】
送信デバイス210-cにおいて少なくとも1つのCSFメッセージ420を受信すると、送信デバイス210-cは、送信デバイス210-cがどのように構成されるかに応じて、異なる動作を実行することができる。いくつかの代替形態では、送信デバイス210-cは、HARQフィードバックパス465およびブロック425とともに、またはそれらを伴わずに構成され得る。送信デバイス210-cがHARQフィードバックパス465およびブロック425とともに構成されるとき、送信デバイス210-cは、少なくとも1つのCSFメッセージ420を介して受信された1つまたは複数のCSFパラメータ(たとえば、R、P、T、および/またはLパラメータ)を調整するかどうかを決定することができる。たとえば、1つまたは複数のCSFパラメータは、1つまたは複数の以前に受信されたCSFメッセージにおいて提供される情報が送信デバイス210-cによって正しいと見なされるかまたは正しくないと見なされるかを示す、HARQフィードバックに基づいて調整され得る。たとえば、データレートパラメータの値は、CSFフィードバックが提案するレートよりも高いレートで送信肯定応答(ACK)が受信されていることをHARQフィードバックが示すとき、増やされ得る。同様に、データレートパラメータの値は、CSFフィードバックが提案するレートよりも高いレートで送信否定応答(NAK)が受信されていることをHARQフィードバックが示すとき、下げられ得る。そして、調整されたおよび/または調整されていないCSFパラメータは、ブロック430において使用され得る。送信デバイス210-cがHARQフィードバックパス465およびブロック425を伴わずに構成されるとき、少なくとも1つのCSFメッセージ420に含まれるCSFパラメータが、ブロック430において直接使用され得る。
【００８２】
ブロック430において、1つまたは複数のCSFパラメータが、1つまたは複数の送信パラメータを選択するために使用され得る。いくつかの例では、送信パラメータは、変調およびコーディング方式(MCS)、送信リンクの数、および/または特定された送信リンクを含み得る。
【００８３】
ブロック435において、ブロック430において選択された送信パラメータ、および場合によっては他の送信パラメータが、ワイヤレスチャネルを通じて1つまたは複数のワイヤレス信号440を受信デバイス205-cに送信するために使用され得る。ワイヤレス信号440は、いくつかの場合、1つまたは複数のフレーム、サブフレーム、および/またはパケットの一部として送信され得る。いくつかの場合、ワイヤレス信号440は、受信デバイス205-cのCSF報告を構成するための1つまたは複数のメッセージを含み得る。たとえば、1つまたは複数のメッセージは、第1のサブセットおよび残りのサブセットにどのパラメータが割り当てられるかを示すことができ、残りのサブセット中の1つまたは複数のパラメータの1つまたは複数の所与の値を示すことができる。
【００８４】
送信される信号440は、受信デバイス205-cによって受信され復号されてよく、各信号440(または信号のグループ)が成功裏に復号されるかどうかを示すACKまたはNAK450は、受信デバイス205-cによって送信デバイス210-cに送信され得る。
【００８５】
ブロック455において、ハイブリッド自動再送要求(HARQ)処理が実行され得る。ACKが信号(または信号のグループ)に対して受信されないとき、HARQ処理は、ブロック435において信号の再送信を引き起こし得る。いくつかの場合、信号は、1つまたは複数の異なる送信パラメータを使用して再送信され得る。他の場合、信号は、以前に使用された送信パラメータを使用して再送信され得る。ACK460が信号(または信号のグループ)に対して受信されるとき、HARQ処理は、処理がブロック470へと進むことを許容することができ、ブロック470においてメッセージフロー400またはその一部が繰り返され得る。
【００８６】
図5は、本開示の様々な態様による、受信デバイス205-dと送信デバイス210-dとの間の例示的なメッセージフロー500を示す。いくつかの例では、受信デバイス205-d(たとえば、ワイヤレスデバイス)は、図1を参照して説明されたUE115の1つもしくは複数の態様の例、ならびに/または、図2、図3、および/もしくは図4を参照して説明された受信デバイス205の1つもしくは複数の態様の例であり得る。いくつかの例では、送信デバイス210-d(たとえば、ワイヤレスデバイス)は、図1を参照して説明された基地局105の1つもしくは複数の態様の例、ならびに/または、図2、図3、および/もしくは図4を参照して説明された送信デバイス210の1つもしくは複数の態様の例であり得る。
【００８７】
メッセージフロー500は、繰り返しの方式で実行されてよく、たとえば、ブロック515またはブロック535において開始してよい。ブロック515において、受信デバイス205-dは、送信デバイス210-dへの送信のために少なくとも1つのチャネルサイド情報フィードバック(CSF)メッセージ520を生成することができる。少なくとも1つのCSFメッセージは、たとえばワイヤレスチャネル上の測定した干渉に基づいて生成され得る。いくつかの場合、干渉が測定されるワイヤレスチャネルは、図5に示されるメッセージの1つまたは複数がその上で送信されるワイヤレスチャネルを含み得る。いくつかの場合、ワイヤレスチャネルの干渉デバイス(たとえば、支配的な干渉源)が、測定した干渉に基づいて特定され得る。いくつかの場合、ワイヤレスチャネルの少なくとも1つの追加の干渉デバイスが、測定した干渉に基づいて特定され得る。いくつかの場合、干渉デバイスからの干渉の強度が閾値を満たすことが決定され得る。いくつかの場合、干渉は、絶対的に(たとえば、dBm単位で)、または相対的に(たとえば、サービングセルの信号強度と比較されたdB)測定され得る。いくつかの場合、ワイヤレスチャネル上の干渉は、受信デバイス205-dによって測定され得る。
【００８８】
少なくとも1つのCSFメッセージは、ワイヤレスチャネルの干渉デバイスと、干渉デバイスからの干渉と時間および/または周波数との相関とを示し得る。干渉と時間の相関は、干渉デバイスからの干渉の推定される周期性を含み得る。周波数との相関は、たとえば、干渉と、サブバンド、周波数キャリア、および/または周波数バンドとの相関を含み得る。いくつかの場合、少なくとも1つのCSFメッセージは、干渉デバイスの識別情報を含み得る。
【００８９】
いくつかの例では、少なくとも1つのCSFメッセージはまた、ワイヤレスチャネルの少なくとも1つの追加の干渉デバイスと、少なくとも1つの追加の干渉デバイスからの干渉と時間および/または周波数との相関とを示し得る。少なくとも1つのCSFメッセージはまた、干渉デバイスからの測定した干渉と、少なくとも1つの追加の干渉デバイスからの測定した干渉との相関を示し得る。
【００９０】
時間との相関はさらに、または代替的に、干渉デバイスからの干渉と関連付けられるバースト期間を含み得る。いくつかの例では、バースト期間は、干渉信号の一部分を復号し、干渉信号の復号された部分からバースト期間を決定することによって、決定され得る(たとえば、バースト期間は干渉信号において明示的にシグナリングされ得る)。いくつかの例では、バースト期間は、測定した干渉に基づいて推定され得る。
【００９１】
いくつかの場合、受信デバイス205-dは、干渉打消し動作または接合検出動作の少なくとも1つが実行されるとき、ワイヤレスチャネル上のデータレートに対する影響を予測し、干渉デバイスからの残余の干渉と時間および/または周波数との相関を少なくとも1つのCSFメッセージにおいて示すことができる。
【００９２】
送信デバイス210-dにおいて少なくとも1つのCSFメッセージ520を受信すると、送信デバイス210-dは、ブロック575において、干渉デバイスからの干渉と時間および/または周波数との相関を使用して、1つまたは複数のCSFパラメータを予測することができる。次いで、送信デバイス210-dは、送信デバイス210-dがどのように構成されるかに依存する、異なる動作を実行することができる。一構成では、送信デバイス210-dは、HARQフィードバックパス565およびブロック525とともに構成され得る。この構成では、送信デバイス210-dは、予測されるCSFパラメータ(たとえば、R、P、T、および/またはLパラメータ)の1つまたは複数を調整するかどうかを決定することができる。たとえば、予測されるCSFパラメータは、1つまたは複数の以前に受信されたCSFメッセージにおいて提供される情報が送信デバイス210-dによって正しいと見なされるかまたは正しくないと見なされるかを示す、HARQフィードバックに基づいて調整され得る。たとえば、予測されるデータレートパラメータの値は、CSFフィードバックが提案するレートよりも高いレートで送信肯定応答(ACK)が受信されていることをHARQフィードバックが示すとき、増やされ得る。同様に、データレートパラメータの値は、CSFフィードバックが提案するレートよりも高いレートで送信否定応答(NAK)が受信されていることをHARQフィードバックが示すとき、下げられ得る。そして、調整されたおよび/または調整されていないCSFパラメータは、ブロック530において使用され得る。送信デバイス210-dがHARQフィードバックパス565およびブロック525を伴わずに構成されるとき、予測されるCSFパラメータが、ブロック530において直接使用され得る。
【００９３】
ブロック530において、1つまたは複数のCSFパラメータが、1つまたは複数の送信パラメータを選択するために使用され得る。いくつかの例では、送信パラメータは、MCS、送信リンクの数、および/または特定された送信リンクを含み得る。
【００９４】
ブロック535において、ブロック530において選択された送信パラメータ、および場合によっては他の送信パラメータが、ワイヤレスチャネルを通じて1つまたは複数のワイヤレス信号540を受信デバイス205-dに送信するために使用され得る。ワイヤレス信号540は、いくつかの場合、1つまたは複数のフレーム、サブフレーム、および/またはパケットの一部として送信され得る。いくつかの場合、ワイヤレス信号540は、受信デバイス205-dのCSF報告を構成するための1つまたは複数のメッセージを含み得る。たとえば、1つまたは複数のメッセージは、干渉デバイスからの干渉の相関が報告されるべきワイヤレスチャネルを示し得る。
【００９５】
送信される信号540は、受信デバイス205-dによって受信され復号されてよく、各信号540(または信号のグループ)が成功裏に復号されるかどうかを示すACKまたはNAK550は、受信デバイス205-dによって送信デバイス210-dに送信され得る。
【００９６】
ブロック555において、HARQ処理が実行され得る。ACKが信号(または信号のグループ)に対して受信されないとき、HARQ処理は、ブロック535において信号の再送信を引き起こし得る。いくつかの場合、信号は、1つまたは複数の異なる送信パラメータを使用して再送信され得る。他の場合、信号は、以前に使用された送信パラメータを使用して再送信され得る。ACK560が信号(または信号のグループ)に対して受信されるとき、HARQ処理は、処理がブロック570へと進むことを許容することができ、ブロック570においてメッセージフロー500またはその一部が繰り返され得る。
【００９７】
図5を参照して説明されたメッセージフローの変形において、少なくとも1つのCSFメッセージは、少なくとも1つのCSFパラメータ(たとえば、データレートパラメータ)と時間および/または周波数との相関を示し得る。周波数との相関は、たとえば、少なくとも1つのCSFパラメータと、サブバンド、周波数キャリア、および/または周波数バンドとの相関を含み得る。少なくとも1つのCSFメッセージはまた、時間および/または周波数の単位での、少なくとも1つのCSFパラメータの推定される周期性を含み得る。
【００９８】
図6は、本開示の様々な態様によるワイヤレス通信において使用するための受信デバイス205-e(たとえば、ワイヤレスデバイス)のブロック図600を示す。いくつかの例では、受信デバイス205-eは、図1を参照して説明されたUE115の1つもしくは複数の態様の例、ならびに/または、図2、図3、図4、および/もしくは図5を参照して説明された受信デバイス205の1つもしくは複数の態様の例であり得る。受信デバイス205-eはプロセッサでもあり得る。受信デバイス205-eは、受信機モジュール610、ワイヤレス通信管理モジュール620、および/または送信機モジュール630を含み得る。これらの構成要素の各々は、互いに通信していることがある。
【００９９】
受信デバイス205-eの構成要素は、個別にまたは集合的に、適用可能な機能の一部またはすべてをハードウェアで実行するように適合された1つまたは複数の特定用途向け集積回路(ASIC)を使用して実装され得る。代替的に、機能は、1つまたは複数の集積回路上で、1つまたは複数の他の処理ユニット(または、コア)によって実行され得る。他の例では、当技術分野で知られている任意の方式でプログラムされ得る他のタイプの集積回路(たとえば、ストラクチャード/プラットフォームASIC、フィールドプログラマブルゲートアレイ(FPGA)、および他のセミカスタムIC)が使用され得る。各ユニットの機能はまた、全体的または部分的に、1つまたは複数の汎用プロセッサまたは特定用途向けプロセッサによって実行されるようにフォーマットされた、メモリにおいて具体化された命令を用いて実装され得る。
【０１００】
いくつかの例では、受信機モジュール610は、少なくとも1つの高周波帯域を通じて送信を受信するように動作可能な少なくとも1つの高周波(RF)受信機などの、少なくとも1つのRF受信機を含み得る。いくつかの例では、少なくとも1つの高周波帯域は、たとえば、図1、図2、および/または図3を参照して説明されたように、LTE/LTE-A通信のために使用され得る。受信機モジュール610は、図1、図2、および/または図3を参照して説明されたワイヤレス通信システム100、200、および/または300の1つまたは複数の送信リンクなどの、ワイヤレス通信システムの1つまたは複数の送信リンクを通じて、様々なタイプのデータおよび/または制御信号(すなわち、送信)を受信するために使用され得る。
【０１０１】
いくつかの例では、送信機モジュール630は、少なくとも1つの高周波帯域を通じて送信するように動作可能な少なくとも1つのRF送信機などの、少なくとも1つのRF送信機を含み得る。いくつかの例では、少なくとも1つの高周波帯域は、たとえば、図1、図2、および/または図3を参照して説明されたように、LTE/LTE-A通信のために使用され得る。送信機モジュール630は、図1、図2、および/または図3を参照して説明されたワイヤレス通信システム100、200、および/または300の1つまたは複数の送信リンクなどの、ワイヤレス通信システムの1つまたは複数の送信リンクを通じて、様々なタイプのデータおよび/または制御信号(すなわち、送信)を送信するために使用され得る。
【０１０２】
ワイヤレス通信管理モジュール620は、様々な形態をとることができ、受信デバイス205-eのワイヤレス通信を管理するために使用され得る。いくつかの例では、ワイヤレス通信管理モジュール620は、信号処理モジュール635、チャネル測定モジュール640、および/またはフィードバックモジュール645を含み得る。これらの構成要素の各々は、互いに通信していることがある。
【０１０３】
いくつかの例では、信号処理モジュール635は、受信機モジュール610を介して受信され復号される信号を処理するために使用され得る。信号は、送信デバイスからワイヤレスチャネルを通じて受信され得る。いくつかの場合、信号は、1つまたは複数のフレーム、サブフレーム、および/またはパケットの一部として受信され得る。いくつかの場合、信号は、受信デバイス205-eのCSF報告を構成するための1つまたは複数のメッセージを含み得る。
【０１０４】
いくつかの例では、チャネル測定モジュール640は、信号処理モジュール635によって処理される信号がそれを通じて受信されるワイヤレスチャネルの状態を測定するために使用され得る。チャネル測定モジュール640は、さらに、または代わりに、ワイヤレスチャネル上の干渉を測定するために使用され得る。いくつかの場合、干渉は、絶対的に(たとえば、dBm単位で)、または相対的に(たとえば、サービングセルの信号強度と比較されたdB)測定され得る。チャネルの測定結果は、フィードバックモジュール645に与えられ得る。
【０１０５】
いくつかの例では、フィードバックモジュール645は、ワイヤレスチャネルの測定した状態に基づいて、少なくとも1つのCSFメッセージを生成するために使用され得る。少なくとも1つのCSFメッセージは、パラメータのセットの関係についての情報を提供し得る。例として、パラメータのセットは、データレートパラメータ、誤り確率パラメータ、および、期限パラメータまたは送信リンクパラメータの少なくとも1つを含み得る。
【０１０６】
いくつかの例では、フィードバックモジュール645は、さらに、または代わりに、ワイヤレスチャネル上の測定した干渉に基づいて、少なくとも1つのCSFメッセージを生成するために使用され得る。これらの例では、少なくとも1つのCSFメッセージは、ワイヤレスチャネルの干渉デバイスと、干渉デバイスからの干渉と時間および/または周波数との相関とを示し得る。
【０１０７】
フィードバックモジュール645はまた、別のデバイスへの少なくとも1つのCSFメッセージの送信を管理するために使用され得る。少なくとも1つのCSFメッセージは、送信機モジュール630を介して送信され得る。
【０１０８】
図7は、本開示の様々な態様によるワイヤレス通信において使用するための受信デバイス205-f(たとえば、ワイヤレスデバイス)のブロック図700を示す。いくつかの例では、受信デバイス205-fは、図1を参照して説明されたUE115の1つもしくは複数の態様の例、ならびに/または、図2、図3、図4、図5、および/もしくは図6を参照して説明された受信デバイス205の1つもしくは複数の態様の例であり得る。受信デバイス205-fはプロセッサでもあり得る。受信デバイス205-fは、受信機モジュール610、ワイヤレス通信管理モジュール620-a、および/または送信機モジュール630を含み得る。これらの構成要素の各々は、互いに通信していることがある。
【０１０９】
受信デバイス205-fの構成要素は、個別にまたは集合的に、適用可能な機能の一部またはすべてをハードウェアで実行するように適合された1つまたは複数のASICを使用して実装され得る。代替的に、機能は、1つまたは複数の集積回路上で、1つまたは複数の他の処理ユニット(または、コア)によって実行され得る。他の例では、当技術分野で公知の任意の方法でプログラムされ得る他のタイプの集積回路(たとえば、ストラクチャード/プラットフォームASIC、FPGA、および他のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【０１１０】
いくつかの例では、受信機モジュール610および送信機モジュール630は、図6を参照して説明された受信機モジュール610および送信機モジュール630と同様に構成され得る。
【０１１１】
ワイヤレス通信管理モジュール620-aは、様々な形態をとることができ、受信デバイス205-fのワイヤレス通信を管理するために使用され得る。いくつかの例では、ワイヤレス通信管理モジュール620-aは、信号処理モジュール635、チャネル測定モジュール640、および/またはフィードバックモジュール645-aを含み得る。これらの構成要素の各々は、互いに通信していることがある。
【０１１２】
いくつかの例では、信号処理モジュール635およびチャネル測定モジュール640は、図6を参照して説明された信号処理モジュール635およびチャネル測定モジュール640と同様に構成され得る。
【０１１３】
いくつかの例では、フィードバックモジュール645-aは、フィードバック構成モジュール705および/またはフィードバック生成モジュール720を含み得る。フィードバック生成モジュール720は、チャネル測定モジュール640から受信されたワイヤレスチャネルの測定した状態に基づいて、少なくとも1つのCSFメッセージを生成するために使用され得る。少なくとも1つのCSFメッセージは、パラメータのセットの関係についての情報を提供し得る。例として、パラメータのセットは、データレートパラメータ、誤り確率パラメータ、および、期限パラメータまたは送信リンクパラメータの少なくとも1つを含み得る。いくつかの例では、少なくとも1つのCSFメッセージは、図4を参照して説明されたように生成され得る。
【０１１４】
フィードバック生成モジュール720はまた、別のデバイスへの少なくとも1つのCSFメッセージの送信を管理するために使用され得る。少なくとも1つのCSFメッセージは、送信機モジュール630を介して送信され得る。
【０１１５】
フィードバック構成モジュール705は、CSFが生成される対象のパラメータを構成するために使用され得る。いくつかの例では、フィードバック構成モジュール705は、フィードバックパラメータ決定モジュール710および値決定モジュール715を含み得る。いくつかの例では、フィードバックパラメータ決定モジュール710は、パラメータのセットの第1のサブセットおよびパラメータのセットの残りのサブセットを決定するために使用され得る。第1のサブセット中の各パラメータの値は、残りのサブセット中の各パラメータの所与の値に基づいて推定され得る。いくつかの場合、第1のサブセットおよび残りのサブセットは、別のデバイスから(たとえば、送信デバイスおよび/または基地局から)受信された情報(たとえば、構成)に基づいて決定され得る。
【０１１６】
いくつかの例では、値決定モジュール715は、パラメータの残りのサブセット中の各パラメータの所与の値を決定するために使用され得る。いくつかの場合、所与の値は、別のデバイスから(たとえば、送信デバイスおよび/または基地局から)受信され得る。いくつかの場合、パラメータの残りのサブセット中のパラメータの所与の値は、受信デバイス205-fによって独立に決定(または構成)され得る。
【０１１７】
図8は、本開示の様々な態様によるワイヤレス通信において使用するための受信デバイス205-g(たとえば、ワイヤレスデバイス)のブロック図800を示す。いくつかの例では、受信デバイス205-gは、図1を参照して説明されたUE115の1つもしくは複数の態様の例、ならびに/または、図2、図3、図4、図5、図6、および/もしくは図7を参照して説明された受信デバイス205の1つもしくは複数の態様の例であり得る。受信デバイス205-gはプロセッサでもあり得る。受信デバイス205-gは、受信機モジュール610、ワイヤレス通信管理モジュール620-b、および/または送信機モジュール630を含み得る。これらの構成要素の各々は、互いに通信していることがある。
【０１１８】
受信デバイス205-gの構成要素は、個別にまたは集合的に、適用可能な機能の一部またはすべてをハードウェアで実行するように適合された1つまたは複数のASICを使用して実装され得る。代替的に、機能は、1つまたは複数の集積回路上で、1つまたは複数の他の処理ユニット(または、コア)によって実行され得る。他の例では、当技術分野で公知の任意の方法でプログラムされ得る他のタイプの集積回路(たとえば、ストラクチャード/プラットフォームASIC、FPGA、および他のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【０１１９】
いくつかの例では、受信機モジュール610および送信機モジュール630は、図6を参照して説明された受信機モジュール610および送信機モジュール630と同様に構成され得る。
【０１２０】
ワイヤレス通信管理モジュール620-bは、様々な形態をとることができ、受信デバイス205-gのワイヤレス通信を管理するために使用され得る。いくつかの例では、ワイヤレス通信管理モジュール620-bは、信号処理モジュール635、チャネル測定モジュール640、および/またはフィードバックモジュール645-bを含み得る。これらの構成要素の各々は、互いに通信していることがある。
【０１２１】
いくつかの例では、信号処理モジュール635およびチャネル測定モジュール640は、図6を参照して説明された信号処理モジュール635およびチャネル測定モジュール640と同様に構成され得る。
【０１２２】
いくつかの例では、フィードバックモジュール645-bは、フィードバック生成モジュール720-aを含み得る。フィードバック生成モジュール720-aは、チャネル測定モジュール640によって測定される干渉に基づいて、少なくとも1つのCSFメッセージを生成するために使用され得る。いくつかの場合、フィードバック生成モジュール720-aは、干渉デバイス特定モジュール805、フィードバック時間/周波数相関モジュール810、バースト決定モジュール815、干渉軽減予測モジュール820を含み得る。
【０１２３】
いくつかの例では、干渉デバイス特定モジュール805は、ワイヤレスチャネルの干渉デバイス(たとえば、支配的な干渉源)を特定するために使用され得る。干渉デバイスは、測定した干渉に基づいて特定され得る。いくつかの場合、干渉デバイスからの干渉の強度が閾値を満たすかどうかが決定され得る。いくつかの場合、フィードバック生成モジュール720-aは、ワイヤレスチャネルの干渉デバイスの識別情報を少なくとも1つのCSFメッセージに含め得る。
【０１２４】
いくつかの例では、フィードバック時間/周波数相関モジュール810が、干渉デバイスからの干渉と時間および/または周波数との相関を示すために使用され得る。干渉と時間の相関は、干渉デバイスからの干渉の推定される周期性を含み得る。周波数との干渉の相関は、たとえば、干渉と、サブバンド、周波数キャリア、および/または周波数バンドとの相関を含み得る。フィードバック生成モジュール720-aは、相関を少なくとも1つのCSFメッセージに含め得る。
【０１２５】
いくつかの例では、干渉デバイス特定モジュール805はまた、測定した干渉に基づいて、ワイヤレスチャネルの少なくとも1つの追加の干渉デバイスを特定するために使用され得る。これらの例では、フィードバック時間/周波数相関モジュール810はまた、少なくとも1つの追加の干渉デバイスの各々からの干渉と時間および/または周波数との相関を示すために使用され得る。フィードバック時間/周波数相関モジュール810はまた、干渉デバイスからの測定した干渉と、少なくとも1つの追加の干渉デバイスからの測定した干渉との相関を示すために使用され得る。
【０１２６】
時間との相関はさらに、または代替的に、干渉デバイスからの干渉と関連付けられるバースト期間を含み得る。バースト期間は、バースト決定モジュール815によって決定され得る。いくつかの例では、バースト期間は、干渉信号の一部分を復号し、干渉信号の復号された部分からバースト期間を決定することによって、決定され得る(たとえば、バースト期間は干渉信号において明示的にシグナリングされ得る)。いくつかの例では、バースト期間は、測定した干渉に基づいて推定され得る。
【０１２７】
いくつかの場合、干渉軽減予測モジュール820は、干渉打消し動作または接合検出動作の少なくとも1つが実行されるとき、ワイヤレスチャネル上のデータレートに対する影響を予測するために使用され得る。フィードバック生成モジュール720-aは次いで、少なくとも1つのCSFメッセージにおいて、干渉デバイスからの残余の干渉と時間および/または周波数との相関を示し得る。
【０１２８】
フィードバック生成モジュール720-aはまた、別のデバイスへの少なくとも1つのCSFメッセージの送信を管理するために使用され得る。少なくとも1つのCSFメッセージは、送信機モジュール630を介して送信され得る。
【０１２９】
図8を参照して説明された受信デバイス205-gの変形において、少なくとも1つのCSFメッセージは、少なくとも1つのCSFパラメータ(たとえば、データレートパラメータ)と時間および/または周波数との相関を示し得る。周波数との相関は、たとえば、少なくとも1つのCSFパラメータと、サブバンド、周波数キャリア、および/または周波数バンドとの相関を含み得る。少なくとも1つのCSFメッセージはまた、時間および/または周波数の単位での、少なくとも1つのCSFパラメータの推定される周期性を含み得る。
【０１３０】
図9は、本開示の様々な態様によるワイヤレス通信において使用するための送信デバイス210-e(たとえば、ワイヤレスデバイス)のブロック図900を示す。いくつかの例では、送信デバイス210-eは、図1を参照して説明された基地局105の1つもしくは複数の態様の例、ならびに/または、図2、図3、図4、および/もしくは図5を参照して説明された送信デバイス210の1つもしくは複数の態様の例であり得る。送信デバイス210-eはプロセッサでもあり得る。送信デバイス210-eは、受信機モジュール910、ワイヤレス通信管理モジュール920、および/または送信機モジュール930を含み得る。これらの構成要素の各々は、互いに通信していることがある。
【０１３１】
送信デバイス210-eの構成要素は、個別にまたは集合的に、適用可能な機能の一部またはすべてをハードウェアで実行するように適合された1つまたは複数のASICを使用して実装され得る。代替的に、機能は、1つまたは複数の集積回路上で、1つまたは複数の他の処理ユニット(または、コア)によって実行され得る。他の例では、当技術分野で公知の任意の方法でプログラムされ得る他のタイプの集積回路(たとえば、ストラクチャード/プラットフォームASIC、FPGA、および他のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【０１３２】
いくつかの例では、受信機モジュール910は、少なくとも1つの高周波帯域を通じて送信を受信するように動作可能な少なくとも1つのRF受信機などの、少なくとも1つのRF受信機を含み得る。いくつかの例では、少なくとも1つの高周波帯域は、たとえば、図1、図2、および/または図3を参照して説明されたように、LTE/LTE-A通信のために使用され得る。受信機モジュール910は、図1、図2、および/または図3を参照して説明されたワイヤレス通信システム100、200、および/または300の1つまたは複数の送信リンクなどの、ワイヤレス通信システムの1つまたは複数の送信リンクを通じて、様々なタイプのデータおよび/または制御信号(すなわち、送信)を受信するために使用され得る。
【０１３３】
いくつかの例では、送信機モジュール930は、少なくとも1つの高周波帯域を通じて送信するように動作可能な少なくとも1つのRF送信機などの、少なくとも1つのRF送信機を含み得る。いくつかの例では、少なくとも1つの高周波帯域は、たとえば、図1、図2、および/または図3を参照して説明されたように、LTE/LTE-A通信のために使用され得る。送信機モジュール930は、図1、図2、および/または図3を参照して説明されたワイヤレス通信システム100、200、および/または300の1つまたは複数の送信リンクなどの、ワイヤレス通信システムの1つまたは複数の送信リンクを通じて、様々なタイプのデータおよび/または制御信号(すなわち、送信)を送信するために使用され得る。
【０１３４】
ワイヤレス通信管理モジュール920は、様々な形態をとることができ、送信デバイス210-eのワイヤレス通信を管理するために使用され得る。いくつかの例では、ワイヤレス通信管理モジュール920は、信号生成モジュール935および/またはフィードバックモジュール940を含み得る。これらの構成要素の各々は、互いに通信していることがある。
【０１３５】
いくつかの例では、信号生成モジュール935は、受信デバイスへの送信のためにワイヤレス信号を生成するために使用され得る。ワイヤレス信号は、送信機モジュール930を介してワイヤレスチャネルを通じて送信され得る。いくつかの場合、ワイヤレス信号は、1つまたは複数のフレーム、サブフレーム、および/またはパケットの一部として送信され得る。いくつかの場合、ワイヤレス信号は、受信デバイスのCSF報告を構成するための1つまたは複数のメッセージを含み得る。
【０１３６】
いくつかの例では、フィードバックモジュール940は、受信機モジュール910を介して送信デバイスから受信された少なくとも1つのCSFメッセージを処理するために使用され得る。少なくとも1つのCSFメッセージは、ワイヤレスチャネルのためのパラメータのセットの関係についての情報を提供し得る。例として、パラメータのセットは、データレートパラメータ、誤り確率パラメータ、および、期限パラメータまたは送信リンクパラメータの少なくとも1つを含み得る。
【０１３７】
いくつかの例では、フィードバックモジュール940は、さらに、または代わりに、ワイヤレスチャネル上の測定した干渉に基づいて、少なくとも1つのCSFメッセージを処理するために使用され得る。これらの例では、少なくとも1つのCSFメッセージは、ワイヤレスチャネルの干渉デバイスと、干渉デバイスからの干渉と時間および/または周波数との相関とを示し得る。
【０１３８】
フィードバックモジュール940はまた、少なくとも1つの送信パラメータの調整が、CSFパラメータ、送信デバイス210-eの所望の送信性能、および/またはHARQフィードバックの1つまたは複数によって示されるとき、送信デバイス210-eの少なくとも1つの送信パラメータを選択または調整するために使用され得る。
【０１３９】
図10は、本開示の様々な態様によるワイヤレス通信において使用するための送信デバイス210-f(たとえば、ワイヤレスデバイス)のブロック図1000を示す。いくつかの例では、送信デバイス210-fは、図1を参照して説明された基地局105の1つもしくは複数の態様の例、ならびに/または、図2、図3、図4、図5、および/もしくは図9を参照して説明された送信デバイス210の1つもしくは複数の態様の例であり得る。送信デバイス210-fはプロセッサでもあり得る。送信デバイス210-fは、受信機モジュール910、ワイヤレス通信管理モジュール920-a、および/または送信機モジュール930を含み得る。これらの構成要素の各々は、互いに通信していることがある。
【０１４０】
送信デバイス210-fの構成要素は、個別にまたは集合的に、適用可能な機能の一部またはすべてをハードウェアで実行するように適合された1つまたは複数のASICを使用して実装され得る。代替的に、機能は、1つまたは複数の集積回路上で、1つまたは複数の他の処理ユニット(または、コア)によって実行され得る。他の例では、当技術分野で公知の任意の方法でプログラムされ得る他のタイプの集積回路(たとえば、ストラクチャード/プラットフォームASIC、FPGA、および他のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【０１４１】
いくつかの例では、受信機モジュール910および送信機モジュール930は、図9を参照して説明された受信機モジュール910および送信機モジュール930と同様に構成され得る。
【０１４２】
ワイヤレス通信管理モジュール920-aは、様々な形態をとることができ、送信デバイス210-fのワイヤレス通信を管理するために使用され得る。いくつかの例では、ワイヤレス通信管理モジュール920-aは、信号生成モジュール935および/またはフィードバックモジュール940-aを含み得る。これらの構成要素の各々は、互いに通信していることがある。
【０１４３】
いくつかの例では、信号生成モジュール935は、図9を参照して説明された信号生成モジュール935と同様に構成され得る。
【０１４４】
いくつかの例では、フィードバックモジュール940-aは、フィードバック構成モジュール1005および/またはフィードバック処理モジュール1020を含み得る。フィードバック構成モジュール1005は、CSFが生成され受信される対象のパラメータを構成するために使用され得る。いくつかの例では、フィードバック構成モジュール1005は、フィードバックパラメータ決定モジュール1010および値決定モジュール1015を含み得る。いくつかの例では、フィードバックパラメータ決定モジュール1010は、パラメータのセットの第1のサブセットおよびパラメータのセットの残りのセットを決定するために使用され得る。例として、パラメータのセットは、データレートパラメータ、誤り確率パラメータ、および、期限パラメータまたは送信リンクパラメータの少なくとも1つを含み得る。第1のサブセット中の各パラメータの値は、残りのサブセット中の各パラメータの所与の値に基づいて(たとえば、送信デバイスおよび/またはUEによって)推定され得る。
【０１４５】
いくつかの例では、値決定モジュール1015は、パラメータの残りのサブセット中の各パラメータの所与の値を決定するために使用され得る。
【０１４６】
いくつかの例では、フィードバック処理モジュール1020は、受信機モジュール910を介して(たとえば、送信デバイスおよび/またはUEから)受信された少なくとも1つのCSFメッセージを処理するために使用され得る。少なくとも1つのCSFメッセージは、ワイヤレスチャネルのためのパラメータの構成されたセットの関係についての情報を提供し得る。いくつかの例では、フィードバック処理モジュール1020は、HARQ処理モジュール1025、CSFパラメータ調整モジュール1030、および/または送信パラメータ選択モジュール1035を含み得る。これらの構成要素の各々は、互いに通信していることがある。
【０１４７】
いくつかの例では、HARQ処理モジュール1025は、図4のブロック455の動作を実行するために使用されてよく、CSFパラメータ調整モジュール1030は、図4のブロック425の動作を実行するために使用されてよく、送信パラメータ選択モジュール1035は、図4のブロック430の動作を実行するために使用されてよい。
【０１４８】
図11は、本開示の様々な態様によるワイヤレス通信において使用するための送信デバイス210-g(たとえば、ワイヤレスデバイス)のブロック図1100を示す。いくつかの例では、送信デバイス210-gは、図1を参照して説明された基地局105の1つもしくは複数の態様の例、ならびに/または、図2、図3、図4、図5、図9、および/もしくは図10を参照して説明された送信デバイス210の1つもしくは複数の態様の例であり得る。送信デバイス210-gはプロセッサでもあり得る。送信デバイス210-gは、受信機モジュール910、ワイヤレス通信管理モジュール920-b、および/または送信機モジュール930を含み得る。これらの構成要素の各々は、互いに通信していることがある。
【０１４９】
送信デバイス210-gの構成要素は、個別にまたは集合的に、適用可能な機能の一部またはすべてをハードウェアで実行するように適合された1つまたは複数のASICを使用して実装され得る。代替的に、機能は、1つまたは複数の集積回路上で、1つまたは複数の他の処理ユニット(または、コア)によって実行され得る。他の例では、当技術分野で公知の任意の方法でプログラムされ得る他のタイプの集積回路(たとえば、ストラクチャード/プラットフォームASIC、FPGA、および他のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【０１５０】
いくつかの例では、受信機モジュール910および送信機モジュール930は、図9を参照して説明された受信機モジュール910および送信機モジュール930と同様に構成され得る。
【０１５１】
ワイヤレス通信管理モジュール920-bは、様々な形態をとることができ、送信デバイス210-gのワイヤレス通信を管理するために使用され得る。いくつかの例では、ワイヤレス通信管理モジュール920-bは、信号生成モジュール935および/またはフィードバックモジュール940-bを含み得る。これらの構成要素の各々は、互いに通信していることがある。
【０１５２】
いくつかの例では、信号生成モジュール935は、図9を参照して説明された信号生成モジュール935と同様に構成され得る。
【０１５３】
いくつかの例では、フィードバックモジュール940-bはフィードバック処理モジュール1020-aを含み得る。フィードバック処理モジュール1020-aは、受信機モジュール910を介して(たとえば、送信デバイスおよび/またはUEから)受信された少なくとも1つのCSFメッセージを処理するために使用され得る。少なくとも1つのCSFメッセージは、ワイヤレスチャネルの干渉デバイスと、干渉デバイスからの干渉と時間および/または周波数との相関とを示し得る。いくつかの場合、少なくとも1つのCSFメッセージはまた、ワイヤレスチャネルの少なくとも1つの追加の干渉デバイスと、少なくとも1つの追加の干渉デバイスからの測定した干渉と時間および/または周波数との相関とを示し得る。少なくとも1つのCSFメッセージはまた、干渉デバイスからの測定した干渉と、少なくとも1つの追加の干渉デバイスからの測定した干渉との相関を示し得る。いくつかの例では、フィードバック処理モジュール1020-aは、HARQ処理モジュール1025、CSFパラメータ予測モジュール1105、CSFパラメータ調整モジュール1030、および/または送信パラメータ選択モジュール1035を含み得る。これらの構成要素の各々は、互いに通信していることがある。
【０１５４】
CSFパラメータ予測モジュール1105は、干渉デバイスの識別情報に、および/または、干渉デバイスからの干渉と時間および/または周波数との相関に基づいて、1つまたは複数のCSFパラメータを予測するために使用され得る。予測されたCSFパラメータは、送信デバイス210-gの構成に応じて、CSFパラメータ調整モジュール1030および/または送信パラメータ選択モジュール1035に転送され得る。
【０１５５】
いくつかの例では、HARQ処理モジュール1025は、図4のブロック455の動作を実行するために使用されてよく、CSFパラメータ調整モジュール1030は、図4のブロック425の動作を実行するために使用されてよく、送信パラメータ選択モジュール1035は、図4のブロック430の動作を実行するために使用されてよい。
【０１５６】
図11を参照して説明された送信デバイス210-gの変形において、少なくとも1つのCSFメッセージは、少なくとも1つのCSFパラメータ(たとえば、データレートパラメータ)と時間および/または周波数との相関を示し得る。周波数との相関は、たとえば、少なくとも1つのCSFパラメータと、サブバンド、周波数キャリア、および/または周波数バンドとの相関を含み得る。少なくとも1つのCSFメッセージはまた、時間および/または周波数の単位での、少なくとも1つのCSFパラメータの推定される周期性を含み得る。
【０１５７】
図12は、本開示の様々な態様による、ワイヤレス通信で使用するためのUE115-aのブロック図1200を示す。UE115-aは、様々な構成を有してよく、パーソナルコンピュータ(たとえば、ラップトップコンピュータ、ネットブックコンピュータ、タブレットコンピュータなど)、携帯電話、PDA、デジタルビデオレコーダ(DVR)、インターネットアプライアンス、ゲームコンソール、電子書籍リーダなどに含まれてよく、またはそれらの一部であってよい。UE115-aは、いくつかの例では、モバイル動作を容易にするために、小型バッテリなどの内部電源(図示せず)を有することがある。いくつかの例では、UE115-aは、図1を参照して説明されたUE115の1つもしくは複数の態様の例、ならびに/または、図2、図3、図4、図5、図6、図7、および/もしくは図8を参照して説明された受信デバイス205の1つもしくは複数の態様の例であり得る。UE115-aは、図1、図2、図3、図4、図5、図6、図7、および/または図8を参照して説明された、UEおよび/または受信デバイスの特徴および機能の少なくとも一部を実装するように構成され得る。
【０１５８】
UE115-aは、UEプロセッサモジュール1210、UEメモリモジュール1220、少なくとも1つの送受信機モジュール(送受信機モジュール1230によって表される)、少なくとも1つのUEアンテナ(UEアンテナ1240によって表される)、および/またはUEワイヤレス通信管理モジュール620-cを含み得る。これらの構成要素の各々は、1つまたは複数のバス1235を通じて、直接または間接的に互いに通信していてよい。
【０１５９】
UEメモリモジュール1220は、ランダムアクセスメモリ(RAM)および/または読取り専用メモリ(ROM)を含み得る。UEメモリモジュール1220は、実行されると、UEプロセッサモジュール1210に、ワイヤレス通信に関して本明細書で説明される様々な機能を実行させるように構成された命令を含む、コンピュータ可読のコンピュータ実行可能コード1225を記憶することができる。代替的に、コード1225は、UEプロセッサモジュール1210によって直接実行可能ではなくてもよいが、(たとえば、コンパイルされ実行されると)本明細書で説明された様々な機能をUE115-aに実行させるように構成され得る。
【０１６０】
UEプロセッサモジュール1210は、インテリジェントハードウェアデバイス、たとえば中央処理装置(CPU)、マイクロコントローラ、ASICなどを含み得る。UEプロセッサモジュール1210は、UE送受信機モジュール1230を通じて受信された情報、および/または、UEアンテナ1240を通じた送信のためにUE送受信機モジュール1230に送られる情報を処理し得る。UEプロセッサモジュール1210は、単独で、またはUEワイヤレス通信管理モジュール620-cとともに、少なくとも1つのワイヤレスチャネルを通じて通信すること(またはそれを通じた通信を管理すること)の様々な態様を扱い得る。
【０１６１】
UE送受信機モジュール1230は、パケットを変調し、送信のために変調されたパケットをUEアンテナ1240に提供し、UEアンテナ1240から受信されたパケットを復調するように構成されたモデムを含み得る。UE送受信機モジュール1230は、いくつかの例では、1つまたは複数のUE送信機モジュールおよび1つまたは複数の別個のUE受信機モジュールとして実装され得る。UE送受信機モジュール1230は、1つまたは複数の高周波帯域における通信をサポートし得る。UE送受信機モジュール1230は、図1を参照して説明された基地局105の1つもしくは複数、ならびに/または、図2、図3、図4、図5、図9、図10、および/もしくは図11を参照して説明された送信デバイス210の1つもしくは複数と、UEアンテナ1240を介して双方向に通信するように構成され得る。UE115-aは単一のUEアンテナを含み得るが、UE115-aが複数のUEアンテナ1240を含み得る例があり得る。
【０１６２】
UE状態モジュール1250は、たとえば、RRCアイドル状態とRRC接続状態との間のUE115-aの遷移を監視するために使用されてよく、1つまたは複数のバス1235を通じて、UE115-aの他の構成要素と直接または間接的に通信していてよい。UE状態モジュール1250もしくはその一部は、プロセッサを含んでよく、かつ/または、UE状態モジュール1250の機能の一部もしくはすべては、UEプロセッサモジュール1210によって、および/もしくはUEプロセッサモジュール1210に関連して実行され得る。
【０１６３】
UEワイヤレス通信管理モジュール620-cは、CSFの生成および送信に関する図1、図2、図3、図4、図5、図6、図7、および/または図8を参照して説明された特徴および/または機能の一部またはすべてを実行および/または管理するように構成され得る。UEワイヤレス通信管理モジュール620-cもしくはその一部は、プロセッサを含んでよく、かつ/または、UEワイヤレス通信管理モジュール620-cの機能の一部もしくはすべては、UEプロセッサモジュール1210によって、および/もしくはUEプロセッサモジュール1210に関連して実行され得る。いくつかの例では、UEワイヤレス通信管理モジュール620-cは、図6、図7、および/または図8を参照して説明されたワイヤレス通信管理モジュール620の例であり得る。
【０１６４】
図13は、本開示の様々な態様による、ワイヤレス通信において使用する基地局105-a(たとえば、eNBの一部またはすべてを形成する基地局)のブロック図1300を示す。いくつかの例では、基地局105-aは、図1を参照して説明された基地局105の1つもしくは複数の態様の例、ならびに/または、図9、図10、および/もしくは図11を参照して説明された送信デバイス905の1つもしくは複数の態様の例であり得る。基地局105-aは、図1、図2、図3、図4、図5、図9、図10、および/または図11を参照して説明された、基地局および/または送信デバイスの特徴と機能の少なくとも一部を実装または支援するように構成され得る。
【０１６５】
基地局105-aは、基地局プロセッサモジュール1310、基地局メモリモジュール1320、少なくとも1つの基地局送受信機モジュール(基地局送受信機モジュール1350によって表される)、少なくとも1つの基地局アンテナ(基地局アンテナ1355によって表される)、および/または基地局ワイヤレス通信管理モジュール920-cを含み得る。基地局105-aはまた、基地局通信モジュール1330および/またはネットワーク通信モジュール1340の1つまたは複数を含み得る。これらの構成要素の各々は、1つまたは複数のバス1335を通じて、互いに、直接または間接的に通信していてよい。
【０１６６】
基地局メモリモジュール1320はRAMおよび/またはROMを含み得る。基地局メモリモジュール1320は、実行されると、基地局プロセッサモジュール1310に、ワイヤレス通信に関して本明細書で説明される様々な機能を実行させるように構成された命令を含む、コンピュータ可読のコンピュータ実行可能コード1325を記憶することができる。代替的に、コード1325は、基地局プロセッサモジュール1310によって直接実行可能ではなくてもよいが、(たとえば、コンパイルされ実行されると)本明細書で説明された様々な機能を基地局105-aに実行させるように構成され得る。
【０１６７】
基地局プロセッサモジュール1310は、インテリジェントハードウェアデバイス、たとえば、CPU、マイクロコントローラ、ASICなどを含み得る。基地局プロセッサモジュール1310は、基地局送受信機モジュール1350、基地局通信モジュール1330、および/またはネットワーク通信モジュール1340を通じて受信された情報を処理することができる。基地局プロセッサモジュール1310はまた、アンテナ1355を通じた送信のために送受信機モジュール1350へ、1つまたは複数の他の基地局105-bおよび105-cへの送信のために基地局通信モジュール1330へ、ならびに/またはコアネットワーク130-aへの送信のためにネットワーク通信モジュール1340へ送信されるべき情報を処理することができ、コアネットワーク130-aは、図1を参照して説明されるコアネットワーク130の1つまたは複数の態様の例であり得る。基地局プロセッサモジュール1310は、単独で、または基地局ワイヤレス通信管理モジュール920-cとともに、少なくとも1つのワイヤレスチャネルを通じて通信すること(またはそれを通じた通信を管理すること)の様々な態様を扱い得る。
【０１６８】
基地局送受信機モジュール1350は、パケットを変調し、送信のために変調されたパケットを基地局アンテナ1355に提供し、かつ基地局アンテナ1355から受信されたパケットを復調するように構成されたモデムを含み得る。基地局送受信機モジュール1350は、いくつかの例では、1つまたは複数の基地局送信機モジュールおよび1つまたは複数の別個の基地局受信機モジュールとして実装され得る。基地局送受信機モジュール1350は、1つまたは複数の高周波帯域における通信をサポートし得る。基地局送受信機モジュール1350は、図1および/もしくは図12を参照して説明されたUE115の1つもしくは複数、ならびに/または、図2、図3、図4、図5、図6、図7、および/もしくは図8を参照して説明された受信デバイス205の1つもしくは複数などの、1つまたは複数のUEまたは受信デバイスと、アンテナ1355を介して双方向に通信するように構成され得る。基地局105-aはたとえば、複数の基地局アンテナ1355(たとえば、アンテナアレイ)を含み得る。基地局105-aは、ネットワーク通信モジュール1340を通じてコアネットワーク130-aと通信することができる。基地局105-aはまた、基地局通信モジュール1330を使用して、基地局105-bおよび105-cなどの他の基地局と通信することができる。
【０１６９】
基地局ワイヤレス通信管理モジュール920-cは、CSFの構成および処理に関する図1、図2、図3、図4、図5、図9、図10、および/または図11を参照して説明された特徴および/または機能の一部またはすべてを実行および/または管理するように構成され得る。基地局ワイヤレス通信管理モジュール920-cまたはもしくはその一部は、プロセッサを含んでよく、かつ/または、基地局ワイヤレス通信管理モジュール920-cの機能の一部もしくはすべては、基地局プロセッサモジュール1310によって、および/もしくは基地局プロセッサモジュール1310に関連して実行され得る。いくつかの例では、基地局ワイヤレス通信管理モジュール920-cは、図9、図10、および/または図11を参照して説明されたワイヤレス通信管理モジュール920の例であり得る。
【０１７０】
図14は、本開示の様々な態様による、ワイヤレス通信のための方法1400の例を示すフローチャートである。明瞭にするために、方法1400は、図1および/もしくは図12を参照して説明されたUE115の1つもしくは複数の態様、ならびに/または、図2、図3、図4、図6、図7、および/もしくは図8を参照して説明された受信デバイス205の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０１７１】
ブロック1405において、方法1400は、第1のデバイスによって、ワイヤレスチャネルの状態を測定するステップを含み得る。ブロック1405における動作は、図6、図7、図8および/もしくは図12を参照して説明されたワイヤレス通信管理モジュール620、ならびに/または、図6、図7、および/もしくは図8を参照して説明されたチャネル測定モジュール640を使用して実行され得る。
【０１７２】
ブロック1410において、方法1400は、ワイヤレスチャネルの測定した状態に基づいて、少なくとも1つのCSFメッセージを生成するステップを含み得る。少なくとも1つのCSFメッセージは、パラメータのセットの関係についての情報を提供し得る。例として、パラメータのセットは、データレートパラメータと、誤り確率パラメータと、期限パラメータまたは送信リンクパラメータの少なくとも1つとを含んでよく、パラメータのセットの少なくとも第1のパラメータは第1のデバイスに入力され、パラメータのセットの少なくとも第2のパラメータは少なくとも第1のパラメータに対して条件付けられて出力される。ブロック1410における動作は、図6、図7、図8および/もしくは図12を参照して説明されたワイヤレス通信管理モジュール620、図6、図7、および/もしくは図8を参照して説明されたフィードバックモジュール645、ならびに/または、図7および/もしくは図8を参照して説明されたフィードバック生成モジュール720を使用して実行され得る。
【０１７３】
ブロック1415において、方法1400は、少なくとも1つのCSFメッセージを第2のデバイスに送信するステップを含んでよく、少なくとも1つのCSFメッセージは少なくとも第2のパラメータを含んでよい。ブロック1415における動作は、図6、図7、および/または図8を参照して説明された送信機モジュール630によって実行され得る。
【０１７４】
したがって、方法1400は、ワイヤレス通信を提供し得る。方法1400は単に1つの実装形態であること、および、方法1400の動作は並べ替えられ、または別様に修正され得るので他の実装形態が可能であることに留意すべきである。
【０１７５】
図15は、本開示の様々な態様による、ワイヤレス通信のための方法1500の例を示すフローチャートである。明瞭にするために、方法1500は、図1および/もしくは図12を参照して説明されたUE115の1つもしくは複数の態様、ならびに/または、図2、図3、図4、図6、および/もしくは図7を参照して説明された受信デバイス205の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０１７６】
ブロック1505において、方法1500は、データレートパラメータと、誤り確率パラメータと、期限パラメータまたは送信リンクパラメータの少なくとも1つとを含むパラメータのセットから、第1のデバイスによって、パラメータのセットの第1のサブセットおよびパラメータのセットの残りのサブセットを決定するステップを含んでよく、第1のサブセット中の各パラメータは、残りのサブセット中の各パラメータの所与の値に基づいて推定され得る値を有する。ブロック1505における動作は、図6、図7、および/もしくは図12を参照して説明されたワイヤレス通信管理モジュール620、図6および/もしくは図7を参照して説明されたフィードバックモジュール645、ならびに/または、図7を参照して説明されたフィードバック構成モジュール705および/もしくはフィードバックパラメータ決定モジュール710を使用して実行され得る。
【０１７７】
ブロック1510において、方法1500は、残りのサブセットの少なくとも1つのパラメータの所与の値を、第1のデバイスにおいてワイヤレスチャネルを通じて受信すること、および/または、第1のデバイスによって決定することを含み得る。ブロック1510における動作は、図6、図7、および/もしくは図12を参照して説明されたワイヤレス通信管理モジュール620、図6および/もしくは図7を参照して説明されたフィードバックモジュール645、ならびに/または、図7を参照して説明されたフィードバック構成モジュール705および/もしくは値決定モジュール715を使用して実行され得る。
【０１７８】
ブロック1515において、方法1500は、第1のデバイスによって、ワイヤレスチャネルの状態を測定するステップを含み得る。ブロック1515における動作は、図6、図7、図8および/もしくは図12を参照して説明されたワイヤレス通信管理モジュール620、ならびに/または、図6、図7、および/もしくは図8を参照して説明されたチャネル測定モジュール640を使用して実行され得る。
【０１７９】
ブロック1520において、方法1500は、ワイヤレスチャネルの測定した状態に基づいて、少なくとも1つのCSFメッセージを生成するステップを含み得る。少なくとも1つのCSFメッセージは、パラメータのセットの関係についての情報を提供し得る。少なくとも1つのCSFフィードバックメッセージを生成するステップは、パラメータのセットの第1のサブセット中の各パラメータの値を推定するステップを含み得る。いくつかの例では、少なくとも1つのCSFメッセージは、図4を参照して説明されたように生成され得る。ブロック1520における動作は、図6、図7、および/もしくは図12を参照して説明されたワイヤレス通信管理モジュール620、図6および/もしくは図7を参照して説明されたフィードバックモジュール645、ならびに/または、図7を参照して説明されたフィードバック生成モジュール720を使用して実行され得る。
【０１８０】
ブロック1525において、方法1500は、少なくとも1つのCSFメッセージを第2のデバイスに送信するステップを含み得る。ブロック1525における動作は、図6、図7、および/または図8を参照して説明された送信機モジュール630によって実行され得る。
【０１８１】
したがって、方法1500は、ワイヤレス通信を提供し得る。方法1500は単に1つの実装形態であること、および、方法1500の動作は並べ替えられ、または別様に修正され得るので他の実装形態が可能であることに留意すべきである。
【０１８２】
図16は、本開示の様々な態様による、ワイヤレス通信のための方法1600の例を示すフローチャートである。明瞭にするために、方法1600は、図1および/もしくは図13を参照して説明された基地局105の1つもしくは複数の態様、ならびに/または、図2、図3、図4、図9、図10、および/もしくは図11を参照して説明された送信デバイス210の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０１８３】
ブロック1605において、方法1600は、ワイヤレスチャネルを通じてワイヤレス信号を第2のデバイスに送信するステップを含み得る。ブロック1605における動作は、図9、図10、および/または図11を参照して説明された送信機モジュール930によって実行され得る。
【０１８４】
ブロック1610において、方法1600は、ワイヤレスチャネルの測定した状態に基づいて、少なくとも1つのCSFメッセージを第2のデバイスから受信するステップを含み得る。少なくとも1つのCSFメッセージは、パラメータのセットの関係についての情報を提供し得る。例として、パラメータのセットは、データレートパラメータと、誤り確率パラメータと、期限パラメータまたは送信リンクパラメータの少なくとも1つとを含んでよく、パラメータのセットの少なくとも第1のパラメータは第2のデバイスに入力され、パラメータのセットの少なくとも第2のパラメータは少なくとも第1のパラメータに対して条件付けられて出力される。第2のデバイスから受信される少なくとも1つのCSFフィードバックメッセージは、少なくとも第2のパラメータを含み得る。ブロック1610における動作は、図9、図10、および/もしくは図11を参照して説明された受信機モジュール910、図9、図10、図11、および/もしくは図13を参照して説明されたワイヤレス通信管理モジュール920、図9、図10、および/もしくは図11を参照して説明されたフィードバックモジュール940、ならびに/または、図10および/もしくは図11を参照して説明されたフィードバック処理モジュール1020を使用して実行され得る。
【０１８５】
したがって、方法1600は、ワイヤレス通信を提供し得る。方法1600は単に1つの実装形態であること、および、方法1600の動作は並べ替えられ、または別様に修正され得るので他の実装形態が可能であることに留意すべきである。
【０１８６】
図17は、本開示の様々な態様による、ワイヤレス通信のための方法1700の例を示すフローチャートである。明瞭にするために、方法1700は、図1および/もしくは図13を参照して説明された基地局105の1つもしくは複数の態様、ならびに/または、図2、図3、図4、図9、および/もしくは図10を参照して説明された送信デバイス210の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０１８７】
ブロック1705において、方法1700は、データレートパラメータと、誤り確率パラメータと、期限パラメータまたは送信リンクパラメータの少なくとも1つとを含むパラメータのセットから、第1のデバイスによって、パラメータのセットの第1のサブセットおよびパラメータのセットの残りのサブセットを決定するステップを含んでよく、第1のサブセット中の各パラメータは、残りのサブセット中の各パラメータの所与の値に基づいて推定され得る値を有する。ブロック1705における動作は、図9、図10、および/もしくは図13を参照して説明されたワイヤレス通信管理モジュール920、図9および/もしくは図10を参照して説明されたフィードバックモジュール940、ならびに/または、図10を参照して説明されたフィードバック構成モジュール1005および/もしくはフィードバックパラメータ決定モジュール1010を使用して実行され得る。
【０１８８】
ブロック1710において、方法1700は、第1のサブセットまたは残りのサブセットの少なくとも1つの指示、および/または、残りのサブセットの少なくとも1つのパラメータの所与の値を、第2のデバイスに送信するステップを含み得る。ブロック1710における動作は、図9および/または図10を参照して説明された送信機モジュール930を使用して実行され得る。
【０１８９】
ブロック1715において、方法1700は、ワイヤレスチャネルの測定した状態に基づいて、少なくとも1つのCSFメッセージを第2のデバイスから受信するステップを含み得る。少なくとも1つのCSFメッセージは、パラメータのセットの関係についての情報を提供し得る。ブロック1715における動作は、図9および/または図10を参照して説明された受信機モジュール910を使用して実行され得る。
【０１９０】
ブロック1720において、方法1700は、第1のデバイスの少なくとも1つの送信パラメータを修正するステップを含み得る。ブロック1720における動作は、図9、図10、および/もしくは図13を参照して説明されたワイヤレス通信管理モジュール920、図9および/もしくは図10を参照して説明されたフィードバックモジュール940、ならびに/または、図10を参照して説明された送信パラメータ選択モジュール1035を使用して実行され得る。
【０１９１】
したがって、方法1700は、ワイヤレス通信を提供し得る。方法1700は単に1つの実装形態であること、および、方法1700の動作は並べ替えられ、または別様に修正され得るので他の実装形態が可能であることに留意すべきである。
【０１９２】
図18は、本開示の様々な態様による、ワイヤレス通信のための方法1800の例を示すフローチャートである。明瞭にするために、方法1800は、図1および/もしくは図12を参照して説明されたUE115の1つもしくは複数の態様、ならびに/または、図2、図3、図5、図6、および/もしくは図8を参照して説明された受信デバイス205の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０１９３】
ブロック1805において、方法1800は、第1のデバイスによって、ワイヤレスチャネル上の干渉を測定するステップを含み得る。いくつかの場合、干渉は、絶対的に(たとえば、dBm単位で)、または相対的に(たとえば、サービングセルの信号強度と比較されたdB)測定され得る。ブロック1805における動作は、図6、図8および/もしくは図12を参照して説明されたワイヤレス通信管理モジュール620、ならびに/または、図6および/もしくは図8を参照して説明されたチャネル測定モジュール640を使用して実行され得る。
【０１９４】
ブロック1810において、方法1800は、測定結果に基づいてワイヤレスチャネルの干渉デバイス(たとえば、支配的な干渉源)を特定するステップを含み得る。ブロック1810における動作は、図6、図8および/もしくは図12を参照して説明されたワイヤレス通信管理モジュール620、ならびに/または、図8を参照して説明された干渉デバイス特定モジュール805を使用して実行され得る。
【０１９５】
ブロック1815において、方法1800は、ワイヤレスチャネル上の測定した干渉に基づいて、少なくとも1つのCSFメッセージを生成するステップを含み得る。少なくとも1つのCSFメッセージは、ワイヤレスチャネルの干渉デバイスと、干渉デバイスからの干渉と時間または周波数との相関とを示し得る。周波数との干渉の相関は、たとえば、干渉と、サブバンド、周波数キャリア、および/または周波数バンドとの相関を含み得る。いくつかの場合、少なくとも1つのCSFメッセージは、干渉デバイスの識別情報を含み得る。ブロック1815における動作は、図6、図8、および/もしくは図12を参照して説明されたワイヤレス通信管理モジュール620、図6および/もしくは図8を参照して説明されたフィードバックモジュール645、図8を参照して説明されたフィードバック生成モジュール720-a、ならびに/または、図8を参照して説明されたフィードバック時間/周波数相関モジュール810を使用して実行され得る。
【０１９６】
ブロック1820において、方法1800は、少なくとも1つのCSFメッセージを第2のデバイスに送信するステップを含み得る。ブロック1820における動作は、図6および/または図8を参照して説明された送信機モジュール630を使用して実行され得る。
【０１９７】
いくつかの例では、方法1800は、干渉デバイスからの干渉の強度が閾値を満たすと決定するステップを含み得る。
【０１９８】
いくつかの例では、方法1800は、時間および/または周波数の単位での干渉デバイスからの干渉の周期性を推定するステップを含み得る。少なくとも1つのCSFメッセージは、推定された周期性を含み得る。
【０１９９】
いくつかの例では、方法1800は、干渉デバイスからの干渉と関連付けられるバースト期間を決定するステップを含み得る。干渉の相関は、バースト期間を含み得る。いくつかの例では、バースト期間は、干渉信号の一部分を復号し、干渉信号の復号された部分からバースト期間を決定することによって、決定され得る(たとえば、バースト期間は干渉信号において明示的にシグナリングされ得る)。いくつかの例では、バースト期間は、測定した干渉に基づいて推定され得る。
【０２００】
いくつかの例では、方法1800はまた、測定した干渉に基づいて、ワイヤレスチャネルの少なくとも1つの追加の干渉デバイスを特定するステップを含み得る。これらの例では、少なくとも1つのCSFメッセージは、ワイヤレスチャネルの少なくとも1つの追加の干渉デバイスと、少なくとも1つの追加の干渉デバイスからの測定した干渉と時間および/または周波数との相関とを示し得る。少なくとも1つのCSFメッセージはまた、干渉デバイスからの測定した干渉と、少なくとも1つの追加の干渉デバイスからの測定した干渉との相関を示し得る。
【０２０１】
いくつかの例では、方法1800は、干渉打消し動作または接合検出動作の少なくとも1つが実行されるとき、ワイヤレスチャネル上のデータレートに対する影響を予測するステップを含み得る。少なくとも1つのCSFメッセージは次いで、干渉デバイスからの残余の干渉と時間および/または周波数との相関を示し得る。
【０２０２】
したがって、方法1800は、ワイヤレス通信を提供し得る。方法1800は単に1つの実装形態であること、および、方法1800の動作は並べ替えられ、または別様に修正され得るので他の実装形態が可能であることに留意すべきである。
【０２０３】
図19は、本開示の様々な態様による、ワイヤレス通信のための方法1900の例を示すフローチャートである。明瞭にするために、方法1900は、図1および/もしくは図13を参照して説明された基地局105の1つもしくは複数の態様、ならびに/または、図2、図3、図5、図9、および/もしくは図11を参照して説明された送信デバイス210の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０２０４】
ブロック1905において、方法1900は、ワイヤレスチャネルを通じてワイヤレス信号を第2のデバイスに送信するステップを含み得る。いくつかの場合、ワイヤレス信号は、干渉デバイスからの干渉の相関が第1のデバイスに報告されるべきであるワイヤレスチャネルを示すものを含み得る。ブロック1905における動作は、図9および/または図11を参照して説明された送信機モジュール930を使用して実行され得る。
【０２０５】
ブロック1910において、方法1900は、少なくとも1つのCSFメッセージを第2のデバイスから受信するステップを含み得る。少なくとも1つのCSFメッセージは、ワイヤレスチャネルの干渉デバイスと、干渉デバイスからの干渉と時間および/または周波数との相関とを示し得る。ブロック1910における動作は、図9および/もしくは図11を参照して説明された受信機モジュール910、図9、図11、および/もしくは図13を参照して説明されたワイヤレス通信管理モジュール920、図9および/もしくは図11を参照して説明されたフィードバックモジュール940、ならびに/または、図11を参照して説明されたフィードバック処理モジュール1020-aを使用して実行され得る。
【０２０６】
いくつかの場合、干渉は、絶対的に(たとえば、dBm単位で)、または相対的に(たとえば、サービングセルの信号強度と比較されたdB)示され得る。いくつかの場合、少なくとも1つのCSFメッセージは、干渉デバイスの識別情報を含み得る。いくつかの場合、少なくとも1つのCSFメッセージは、時間および/または周波数の単位での干渉デバイスからの干渉の推定された周期性を含み得る。いくつかの場合、時間との干渉の相関は、干渉デバイスからの干渉のバースト期間を含み得る。いくつかの場合、干渉の相関は、干渉デバイスの残余の干渉(たとえば、干渉打消し動作または接合検出動作の少なくとも1つの実行後の干渉)と時間および/または周波数との相関を含み得る。
【０２０７】
いくつかの例では、少なくとも1つのCSFメッセージはまた、ワイヤレスチャネルの少なくとも1つの追加の干渉デバイスと、少なくとも1つの追加の干渉デバイスからの測定した干渉と時間および/または周波数との相関とを示し得る。少なくとも1つのCSFメッセージはまた、干渉デバイスからの測定した干渉と、少なくとも1つの追加の干渉デバイスからの測定した干渉との相関を示し得る。
【０２０８】
したがって、方法1900は、ワイヤレス通信を提供し得る。方法1900は単に1つの実装形態であること、および、方法1900の動作は並べ替えられ、または別様に修正され得るので他の実装形態が可能であることに留意すべきである。
【０２０９】
図20は、本開示の様々な態様による、ワイヤレス通信のための方法2000の例を示すフローチャートである。明瞭にするために、方法2000は、図1および/もしくは図12を参照して説明されたUE115の1つもしくは複数の態様、ならびに/または、図2、図3、図5、図6、および/もしくは図8を参照して説明された受信デバイス205の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０２１０】
ブロック2005において、方法2000は、第1のデバイスによって、ワイヤレスチャネルの状態を測定するステップを含み得る。ブロック2005における動作は、図6、図8および/もしくは図12を参照して説明されたワイヤレス通信管理モジュール620、ならびに/または、図6および/もしくは図8を参照して説明されたチャネル測定モジュール640を使用して実行され得る。
【０２１１】
ブロック2010において、方法2000は、ワイヤレスチャネルの測定した状態に基づいて、少なくとも1つのCSFメッセージを生成するステップを含み得る。少なくとも1つのCSFメッセージはまた、時間および/または周波数と相関のある少なくとも1つのパラメータについての情報を提供し得る。例として、少なくとも1つのパラメータはデータレートパラメータを含み得る。さらなる例として、周波数との干渉の相関は、たとえば、干渉と、サブバンド、周波数キャリア、および/または周波数バンドとの相関を含み得る。ブロック2010における動作は、図6、図8、および/もしくは図12を参照して説明されたワイヤレス通信管理モジュール620、図6および/もしくは図8を参照して説明されたフィードバックモジュール645、ならびに/または、図8を参照して説明されたフィードバック生成モジュール720-aを使用して実行され得る。
【０２１２】
ブロック2015において、方法2000は、少なくとも1つのCSFメッセージを第2のデバイスに送信するステップを含み得る。ブロック2015における動作は、図6および/または図8を参照して説明された送信機モジュール630を使用して実行され得る。
【０２１３】
いくつかの例では、方法2000は、時間および/または周波数の単位での少なくとも1つのパラメータの周期性を推定するステップを含み得る。CSFメッセージは、推定された周期性を含み得る。
【０２１４】
したがって、方法2000は、ワイヤレス通信を提供し得る。方法2000は単に1つの実装形態であること、および、方法2000の動作は並べ替えられ、または別様に修正され得るので他の実装形態が可能であることに留意すべきである。
【０２１５】
図21は、本開示の様々な態様による、ワイヤレス通信のための方法2100の例を示すフローチャートである。明瞭にするために、方法2100は、図1および/もしくは図13を参照して説明された基地局105の1つもしくは複数の態様、ならびに/または、図2、図3、図5、図9、および/もしくは図11を参照して説明された送信デバイス210の1つもしくは複数の態様を含む、第1のデバイスに関して以下で説明される。いくつかの例では、第1のデバイスは、以下で説明される機能を実行するように第1のデバイスの機能要素を制御するためのコードの1つまたは複数のセットを実行し得る。
【０２１６】
ブロック2105において、方法2100は、ワイヤレスチャネルを通じてワイヤレス信号を第2のデバイスに送信するステップを含み得る。ブロック2105における動作は、図9および/または図11を参照して説明された送信機モジュール930を使用して実行され得る。
【０２１７】
ブロック2110において、方法2100は、ワイヤレスチャネルの測定した状態に基づいて、少なくとも1つのCSFメッセージを第2のデバイスから受信するステップを含み得る。少なくとも1つのCSFメッセージはまた、時間および/または周波数と相関のある少なくとも1つのパラメータについての情報を提供し得る。例として、少なくとも1つのパラメータはデータレートパラメータを含み得る。さらなる例として、周波数との干渉の相関は、たとえば、干渉と、サブバンド、周波数キャリア、および/または周波数バンドとの相関を含み得る。ブロック2110における動作は、図9および/もしくは図11を参照して説明された受信機モジュール910、および図9、図11、および/もしくは図13を参照して説明されたワイヤレス通信管理モジュール920、図9および/もしくは図11を参照して説明されたフィードバックモジュール940、ならびに/または、図11を参照して説明されたフィードバック処理モジュール1020を使用して実行され得る。
【０２１８】
いくつかの場合、少なくとも1つのCSFメッセージは、時間および/または周波数の単位での少なくとも1つのパラメータの周期性を含み得る。
【０２１９】
したがって、方法2100は、ワイヤレス通信を提供し得る。方法2100は単に1つの実装形態であること、および、方法2100の動作は並べ替えられ、または別様に修正され得るので他の実装形態が可能であることに留意すべきである。
【０２２０】
いくつかの例では、図14、図15、図18、および/または図20を参照して説明された方法1400、1500、1800、および/または2000の2つ以上の態様は組み合わされ得る。いくつかの例では、図16、図17、図19、および/または図21を参照して説明された方法1600、1700、1900、および/または2100の2つ以上の態様は組み合わされ得る。
【０２２１】
添付の図面に関して上に記載された詳細な説明は、例を説明しており、実装され得るまたは特許請求の範囲内にある唯一の例を表すものではない。この説明で使用される「例」および「例示的」という用語は、「例、事例、または例示として機能すること」を意味し、「好ましい」または「他の例よりも有利である」ことを意味しない。詳細な説明は、説明された技法の理解を与える目的で、具体的な詳細を含む。しかしながら、これらの技法は、これらの具体的な詳細を伴わずに実践され得る。いくつかの事例では、説明された例の概念を不明瞭にすることを避けるために、よく知られている構造および装置がブロック図の形で示されている。
【０２２２】
様々な異なる技術および技法のいずれかを使用して、情報および信号が表され得る。たとえば、上の説明全体にわたって言及され得るデータ、命令、コマンド、情報、信号、ビット、記号、およびチップは、電圧、電流、電磁波、磁場もしくは磁性粒子、光場もしくは光学粒子、またはそれらの任意の組合せによって表され得る。
【０２２３】
本明細書の開示に関して説明された様々な例示的なブロックおよびモジュールは、汎用プロセッサ、デジタル信号プロセッサ(DSP)、ASIC、FPGAもしくは他のプログラマブル論理デバイス、個別ゲートもしくはトランジスタ論理、個別のハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来型プロセッサ、コントローラ、マイクロコントローラ、またはステートマシンであり得る。プロセッサはまた、コンピューティングデバイスの組合せ、たとえば、DSPおよびマイクロプロセッサの組合せ、複数のマイクロプロセッサ、DSPコアと連携する1つもしくは複数のマイクロプロセッサ、または任意の他のそのような構成として実装され得る。
【０２２４】
本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして非一時的コンピュータ可読媒体に記憶されるか、または非一時的コンピュータ可読媒体を通じて送信され得る。他の例および実装形態は、本開示および添付の特許請求の範囲の範囲および要旨内にある。たとえば、ソフトウェアの性質に起因して、上で説明された機能は、プロセッサによって実行されるソフトウェア、ハードウェア、ファームウェア、ハード配線、またはそれらのいずれかの組合せを使用して実装され得る。機能を実装する特徴はまた、機能の部分が異なる物理的位置において実装されるように分散されることを含め、様々な場所に物理的に位置し得る。また、特許請求の範囲を含めて本明細書で使用される場合、「のうちの少なくとも1つ」で終わる項目の列挙で用いられる「または」は、たとえば、「A、B、またはCのうちの少なくとも1つ」という列挙が、AまたはBまたはCまたはABまたはACまたはBCまたはABC(すなわち、AおよびBおよびC)を意味するように、選言的な列挙を示す。
【０２２５】
コンピュータ可読媒体は、コンピュータ記憶媒体と、コンピュータプログラムの1つの場所から別の場所への転送を容易にする任意の媒体を含む通信媒体の両方を含む。記憶媒体は、汎用または専用コンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令はまたはデータ構造の形態の所望のプログラムコード手段を搬送または記憶するために使用され汎用もしくは専用コンピュータまたは汎用もしくは専用プロセッサによってアクセスされ得る、任意の他の媒体を備え得る。また、どのような接続もコンピュータ可読媒体と呼ばれるのにふさわしい。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は、通常、データを磁気的に再生し、ディスク(disc)は、データをレーザーで光学的に再生する。上記の組合せもコンピュータ可読媒体の範囲内に含まれる。
【０２２６】
本開示の上の説明は、当業者が本開示を作製または使用することを可能にするために提供される。本開示に対する様々な修正は、当業者には容易に明らかになり、本明細書で定義された一般原理は、本開示の要旨または範囲から逸脱することなく他の変形形態に適用され得る。本開示全体にわたって、「例」または「例示的」という用語は、例または事例を示すものであり、述べられた例に対するいかなる選好も暗示または要求しない。したがって、本開示は、本明細書において説明される例および設計に限定されるべきではなく、本明細書において開示される原理および新規の特徴と一貫する最も広い範囲を与えられるべきである。
【符号の説明】
【０２２７】
100  ワイヤレス通信システム
105  基地局
105-a  基地局
105-b  基地局A
105-c  基地局B
110  カバレッジエリア
115  UE
115-a  UE
125  送信リンク
130  コアネットワーク
130-a  コアネットワーク
132  バックホール
134  バックホールリンク
200  ワイヤレス通信システム
205-a  受信デバイス
205-b  受信デバイス
205-c  受信デバイス
205-d  受信デバイス
205-e  受信デバイス
205-f  受信デバイス
205-g  受信デバイス
210-a  送信デバイス
210-b  送信デバイス
210-c  送信デバイス
210-d  送信デバイス
210-e  送信デバイス
210-f  送信デバイス
210-g  送信デバイス
215  通信リンク
300  ワイヤレス通信システム
315-a  送信リンク
315-b  送信リンク
315-c  送信リンク
400  メッセージフロー
420  CSFメッセージ
440  ワイヤレス信号
450  ACKまたはNACK
465  HARQフィードバックパス
500  メッセージフロー
520  CSFメッセージ
540  ワイヤレス信号
550  ACKまたはNACK
565  HARQフィードバックパス
600  ブロック図
610  受信機モジュール
620  ワイヤレス通信管理モジュール
620-a  ワイヤレス通信管理モジュール
620-b  ワイヤレス通信管理モジュール
620-c  UEワイヤレス通信管理モジュール
630  送信機モジュール
635  信号処理モジュール
640  チャネル測定モジュール
645  フィードバックモジュール
645-a  フィードバックモジュール
645-b  フィードバックモジュール
700  ブロック図
705  フィードバック構成モジュール
710  フィードバックパラメータ決定モジュール
715  値決定モジュール
720  フィードバック生成モジュール
720-a  フィードバック生成モジュール
800  ブロック図
805  干渉デバイス特定モジュール
810  フィードバック時間/周波数相関モジュール
815  バースト決定モジュール
820  干渉軽減予測モジュール
900  ブロック図
910  受信機モジュール
920  ワイヤレス通信管理モジュール
920-a  ワイヤレス通信管理モジュール
920-b  ワイヤレス通信管理モジュール
920-c  基地局ワイヤレス通信管理モジュール
930  送信機モジュール
935  信号生成モジュール
940  フィードバックモジュール
940-a  フィードバックモジュール
940-b  フィードバックモジュール
1000  ブロック図
1005  フィードバック構成モジュール
1010  フィードバックパラメータ決定モジュール
1015  値決定モジュール
1020  フィードバック処理モジュール
1020-a  フィードバック処理モジュール
1025  HARQ処理モジュール
1030  CSFパラメータ調整モジュール
1035  送信パラメータ選択モジュール
1100  ブロック図
1105  CSFパラメータ予測モジュール
1200  ブロック図
1210  UEプロセッサモジュール
1220  UEメモリモジュール
1225  コード
1230  UE送受信機モジュール
1235  バス
1240  UEアンテナ
1250  状態モジュール
1310  基地局プロセッサモジュール
1320  基地局メモリモジュール
1325  コード
1330  基地局通信モジュール
1335  バス
1340  ネットワーク通信モジュール
1350  基地局送受信機モジュール
1355  基地局アンテナ
1400  方法
1500  方法
1600  方法
1700  方法
1800  方法
1900  方法
2000  方法
2100  方法
【図１】
0006462846.tif 000002
【図２】
0006462846.tif 000003
【図３】
0006462846.tif 000004
【図４】
0006462846.tif 000005
【図５】
0006462846.tif 000006
【図６】
0006462846.tif 000007
【図７】
0006462846.tif 000008
【図８】
0006462846.tif 000009
【図９】
0006462846.tif 000010
【図１０】
0006462846.tif 000011
【図１１】
0006462846.tif 000012
【図１２】
0006462846.tif 000013
【図１３】
0006462846.tif 000014
【図１４】
0006462846.tif 000015
【図１５】
0006462846.tif 000016
【図１６】
0006462846.tif 000017
【図１７】
0006462846.tif 000018
【図１８】
0006462846.tif 000019
【図１９】
0006462846.tif 000020
【図２０】
0006462846.tif 000021
【図２１】
0006462846.tif 000022